(57)【要約】【課題】ＷｅｂサイトやＴＶの番組を視聴するための通信端末で、複数のユーザが実際に同じ場所に集まる必要はなく、所望の番組について容易にユーザ同士が連帯感を持って視聴できるようにする。【解決手段】視聴したい番組情報（番組名，放送時間，チャンネル）と該番組視聴仲間の通信端末１０Ａ，１０Ｂ，…のユーザ名及び各端末ユーザを、疑似画像表示すべきキャラクタ（「ウサギ」「クマ」など）の種類を対応付けてＴＶ視聴用ホームページメモリ１２ｈに登録。登録番組を受信視聴中は該番組視聴中であること及び端末ユーザの行動を検知して視聴仲間の各通信端末１０…へ送信すると共に、自端末で検知された行動に対応する自分のキャラクタ画像及び仲間の端末から受信された各端末ユーザの行動に対応するキャラクタ画像を、相互の通信端末１０…における番組表示画面の疑似画像表示エリアに合成表示させる。【選択図】　　図１
2004088327.tif 000002
【特許請求の範囲】
【請求項１】
番組に対応付けて他の端末を記憶する記憶手段と、
この記憶手段により記憶された番組を受信する受信手段と、
この受信手段により前記番組を受信しているときに、当該番組の受信中であることの情報を前記記憶手段により記憶された他の端末へ通知する受信中通知手段と、
前記記憶手段により記憶された他の端末から番組受信中であることの情報を受信する情報受信手段と、
画像を表示する表示手段と、
前記受信手段により受信された番組と共に、前記情報受信手段により受信された他の端末が番組受信中であることの情報を前記表示手段に表示させる表示制御手段と、
を備えたことを特徴とする通信端末。
【請求項２】
さらに、
前記表示制御手段により前記表示手段に受信番組を表示させると共に他の端末が番組受信中であることの情報を表示させているときに、当該他の端末との間でメッセージを送受信するメッセージ送受信手段を備えたことを特徴とする請求項１に記載の通信端末。
【請求項３】
さらに、
前記記憶手段により記憶された他の端末のうちで、前記情報受信手段により番組受信中であることの情報が受信されてない端末に対して番組受信を誘うメッセージを送信する誘うメッセージ送信手段を備えたことを特徴とする請求項１または請求項２に記載の通信端末。
【請求項４】
さらに、
端末利用者の行動を検知する行動検知手段と、
この行動検知手段により検知された端末利用者の行動の情報を前記記憶手段により記憶された他の端末に対して送信する行動情報送信手段と、
前記記憶手段により記憶された他の端末から当該他の端末利用者の行動の情報を受信する行動情報受信手段とを備え、
前記表示制御手段は、前記受信手段により受信された番組と共に、前記情報受信手段により受信された他の端末が番組受信中であることの情報を前記行動情報受信手段により受信された当該他の端末利用者の行動の情報に応じて前記表示手段に表示させる、
ことを特徴とする請求項１乃至請求項３の何れか１項に記載の通信端末。
【請求項５】
さらに、
端末利用者の画像を撮影する画像撮影手段を備え、
前記行動検知手段は、前記画像撮影手段により撮影された端末利用者の画像に基づいて当該端末利用者の行動を検知する、
ことを特徴とする請求項４に記載の通信端末。
【請求項６】
さらに、
各種の行動に応じた画像を記憶する画像記憶手段を備え、
前記表示制御手段は、前記受信手段により受信された番組と共に、前記情報受信手段により受信された他の端末が番組受信中であることの情報を、前記行動情報受信手段により受信された当該他の端末利用者の行動の情報に応じた画像として前記画像記憶手段により記憶された各種の行動に応じた画像の中から読み出し前記表示手段に表示させる、
ことを特徴とする請求項４または請求項５に記載の通信端末。
【請求項７】
前記画像記憶手段は、各種の行動に応じた画像を複数種類の画像のそれぞれについて記憶する画像記憶手段であり、
さらに、前記記憶手段により記憶された他の端末に対応付けて当該端末の画像の種類を記憶する端末画像種記憶手段を備え、
前記表示制御手段は、前記受信手段により受信された番組と共に、前記情報受信手段により受信された他の端末が番組受信中であることの情報を、前記行動情報受信手段により受信された当該他の端末利用者の行動の情報に応じた画像で且つ前記端末画像種記憶手段により記憶された当該他の端末に対応する種類の画像として前記画像記憶手段により記憶された各種の行動に応じた複数種類の画像の中から読み出し前記表示手段に表示させる、
ことを特徴とする請求項６に記載の通信端末。
【請求項８】
さらに、
第１の表示モードと第２の表示モードとを切り替える表示モード切り替え手段を備え、
前記表示制御手段は、前記表示モード切り替え手段により第１の表示モードに切り替えられた場合には、前記受信手段により受信された番組のみを前記表示手段に表示させ、第２の表示モードに切り替えられた場合には、前記受信手段により受信された番組と共に、前記情報受信手段により受信された他の端末が番組受信中であることの情報を前記表示手段に表示させる、
ことを特徴とする請求項１乃至請求項７の何れか１項に記載の通信端末。
【請求項９】
さらに、
前記受信手段により受信される番組が所定の内容になったことを検知する番組内容検知手段と、
前記表示モード切り替え手段により第１の表示モードに切り替えられた状態で、前記番組内容検知手段により前記受信手段により受信される番組が所定の内容になったことが検知された場合には、当該第１の表示モードを第２の表示モードに切り替える番組内容対応表示モード切り替え手段と、
を備えたことを特徴とする請求項８に記載の通信端末。
【請求項１０】
さらに、
前記表示制御手段により前記表示手段に受信番組を表示させると共に他の端末が番組受信中であることの情報を表示させているときに、前記番組内容検知手段により受信番組が所定の内容になったことが検知された状態において、当該他の端末との間でメッセージを送受信する番組内容対応メッセージ送受信手段を備えたことを特徴とする請求項９に記載の通信端末。
【請求項１１】
通信端末のコンピュータを制御するための通信端末処理プログラムであって、
前記コンピュータを、
番組に対応付けて他の端末を記憶する記憶手段、
この記憶手段により記憶された番組を受信する受信手段、
この受信手段により前記番組を受信しているときに、当該番組の受信中であることの情報を前記記憶手段により記憶された他の端末へ通知する受信中通知手段、
前記記憶手段により記憶された他の端末から番組受信中であることの情報を受信する情報受信手段、
前記受信手段により受信された番組と共に、前記情報受信手段により受信された他の端末が番組受信中であることの情報を表示部に表示させる表示制御手段、として機能させるようにしたコンピュータ読み込み可能な通信端末処理プログラム。
【請求項１２】
ネットワークを介して通信端末に画像を配信する画像配信サーバであって、
複数の端末から同一の番組についての視聴依頼を受信する視聴依頼受信手段と、
この視聴依頼受信手段により受信された視聴依頼に従って、番組別に当該番組について視聴依頼のあった複数の端末を対応付けて記憶する番組別端末記憶手段と、
番組を受信する番組受信手段と、
この番組受信手段により受信された番組の画像に対し、当該番組に対応付けられて前記番組別端末記憶手段により記憶された複数の端末それぞれの情報を付加し、当該番組の視聴依頼端末に配信する画像配信手段と、
を備えたことを特徴とする画像配信サーバ。
【請求項１３】
さらに、
前記番組別端末記憶手段により記憶された番組別の視聴依頼端末から、当該端末に対応する番組の視聴中であることの情報を受信する視聴中情報受信手段を備え、
前記画像配信手段は、前記番組受信手段により受信された番組の画像に対し、前記視聴中情報受信手段により視聴中であることの情報を受信した端末それぞれの情報を付加し、当該視聴中の端末に配信する、
ことを特徴とする請求項１２に記載の画像配信サーバ。
【請求項１４】
さらに、
前記画像配信手段により受信番組の画像に対し該番組の視聴中であることの情報を受信した端末それぞれの情報を付加し当該視聴中の端末に配信しているときに、この画像配信先の複数の端末間でメッセージを送受信させるメッセージ処理手段を備えたことを特徴とする請求項１３に記載の画像配信サーバ。
【請求項１５】
さらに、
前記視聴中情報受信手段により視聴中であることの情報を受信した端末と同視聴中であることの情報を受信してない端末との間で番組視聴を誘うメッセージを送受信させる誘いメッセージ処理手段を備えたことを特徴とする請求項１３または請求項１４に記載の画像配信サーバ。
【請求項１６】
さらに、
端末により検知された該端末利用者の行動の情報を受信する行動情報受信手段を備え、
前記画像配信手段は、前記番組受信手段により受信された番組の画像に対し、前記視聴中情報受信手段により視聴中であることの情報を受信した端末それぞれの情報を前記行動情報受信手段により受信された当該端末利用者の行動の情報に応じて付加し、当該視聴中の端末に配信する、
ことを特徴とする請求項１３乃至請求項１５の何れか１項に記載の画像配信サーバ。
【請求項１７】
前記行動情報受信手段により受信される端末利用者の行動の情報は、当該端末が有する画像撮影手段により撮影された端末利用者の画像に基づき検知された行動の情報である、
ことを特徴とする請求項１６に記載の画像配信サーバ。
【請求項１８】
さらに、
各種の行動に応じた画像を記憶する画像記憶手段を備え、
前記画像配信手段は、前記番組受信手段により受信された番組の画像に対し、前記視聴中情報受信手段により視聴中であることの情報を受信した端末それぞれの情報を前記行動情報受信手段により受信された当該端末利用者の行動の情報に応じた画像として前記画像記憶手段により記憶された各種の行動に応じた画像の中から読み出して付加し、当該視聴中の端末に配信する、
ことを特徴とする請求項１６または請求項１７に記載の画像配信サーバ。
【請求項１９】
前記画像記憶手段は、各種の行動に応じた画像を複数種類の画像のそれぞれについて記憶する画像記憶手段であり、
さらに、前記番組別端末記憶手段により記憶された各端末に対応付けて当該端末の画像の種類を記憶する端末画像種記憶手段を備え、
前記画像配信手段は、前記番組受信手段により受信された番組の画像に対し、前記視聴中情報受信手段により視聴中であることの情報を受信した端末それぞれの情報を、前記行動情報受信手段により受信された当該端末利用者の行動の情報に応じた画像で且つ前記端末画像種記憶手段により記憶された当該端末に対応する種類の画像として前記画像記憶手段により記憶された各種の行動に応じた複数種類の画像の中から読み出して付加し、当該視聴中である端末に配信する、
ことを特徴とする請求項１８に記載の画像配信サーバ。
【請求項２０】
さらに、
前記受信手段により受信される番組が所定の内容になったことを検知する番組内容検知手段と、
前記画像配信手段により受信番組の画像に対し該番組の視聴中であることの情報を受信した端末それぞれの情報を付加し当該視聴中の端末に配信しているときに、前記番組内容検知手段により配信中の受信番組が所定の内容になったことが検知された状態において、この画像配信先の複数の端末間でメッセージを送受信させる番組内容対応メッセージ処理手段と、
を備えたことを特徴とする請求項１３乃至請求項１９の何れか１項に記載の画像配信サーバ。
【請求項２１】
画像配信サーバのコンピュータを制御し、ネットワークを介して通信端末に画像を配信するための画像配信処理プログラムであって、
前記コンピュータを、
複数の端末から同一の番組についての視聴依頼を受信する視聴依頼受信手段、この視聴依頼受信手段により受信された視聴依頼に従って、番組別に当該番組について視聴依頼のあった複数の端末を対応付けて記憶する番組別端末記憶手段、
番組を受信する番組受信手段と、
この番組受信手段により受信された番組の画像に対し、当該番組に対応付けられて前記番組別端末記憶手段により記憶された複数の端末それぞれの情報を付加し、当該番組の視聴依頼端末に配信する画像配信手段、
として機能させるようにした画像配信処理プログラム。
【発明の詳細な説明】
【０００１】
【発明の属する技術分野】
本発明は、ＷｅｂサイトやＴＶの番組を視聴するための通信端末、通信端末処理プログラム、および画像配信サーバ、画像配信処理プログラムに関する。
【０００２】
【従来の技術】
近年、パーソナルコンピュータ、携帯電話、ＰＤＡ（ｐｅｒｓｏｎａｌ　ｄｉｇｉｔａｌ　ａｓｓｉｓｔａｎｔｓ）など、ユーザ一人一人が個人的に使用する通信端末が広く普及している。これにより、各個人が各々インターネットを利用して好みのＷｅｂサイトにより配信される番組の画像・音声を視聴したり、インターネットＴＶの番組を視聴したりするなど、各個人において種々のメディアを視聴する機会が増えている。
【０００３】
しかしながら、その反面、例えば仲間同士でお気に入りのＴＶ番組を一緒に視聴するなど、ある番組を共に視聴することにより連帯感を共有できるような機会が減っていると思われる。
【０００４】
【発明が解決しようとする課題】
そこで、ケーブルＴＶなど、ＴＶ放送側と視聴者とを繋ぐ双方向のコミュニケーションシステムが試験的に実施されており、各視聴者は番組を一方的に視聴するのではなく、番組への参加もできるようになっているが、設備が大掛かりであり、各個人一般には普及しづらい状況となっている。
【０００５】
また、このケーブルＴＶにあっても、容易に仲間同士でお気に入りのＴＶ番組を連帯感を持って一緒に視聴できるものではない。
【０００６】
本発明は、前記のような問題に鑑みてなされたもので、複数のユーザが実際に同じ場所に集まる必要はなく、所望の番組について容易にユーザ同士が連帯感を持って視聴することが可能になる通信端末、通信端末処理プログラム、および画像配信サーバ、画像配信処理プログラムを提供することを目的とする。
【０００７】
【課題を解決するための手段】
本発明の請求項１に係る通信端末では、番組に対応付けられて他の端末が記憶され、この記憶された番組を受信手段により受信しているときに、当該番組の受信中であることの情報が前記記憶された他の端末へ通知されると共に、該記憶された他の端末から番組受信中であることの情報が受信される。すると、前記受信された番組と共に、情報受信された他の端末が番組受信中であることの情報が表示手段に表示される。
【０００８】
本発明の請求項２に係る通信端末では、前記請求項１に係る通信端末にあって、表示手段に受信番組を表示させると共に他の端末が番組受信中であることの情報を表示させているときに、当該他の端末との間でメッセージを送受信するメッセージ送受信手段が備えられる。
【０００９】
本発明の請求項３に係る通信端末では、前記請求項１または請求項２に係る通信端末にあって、番組に対応付けられて記憶された他の端末のうちで、番組受信中であることの情報が受信されてない端末に対し、番組受信を誘うメッセージを送信する誘うメッセージ送信手段が備えられる。
【００１０】
本発明の請求項４に係る通信端末では、前記請求項１乃至請求項３の何れか１項に係る通信端末にあって、端末利用者の行動を検知する行動検知手段と、この行動検知手段により検知された端末利用者の行動の情報を他の端末に対して送信する行動情報送信手段と、他の端末から当該他の端末利用者の行動の情報を受信する行動情報受信手段とが備えられ、受信された番組と共に、情報受信された他の端末が番組受信中であることの情報が前記行動情報受信手段により受信された当該他の端末利用者の行動の情報に応じて表示手段に表示される。
【００１１】
本発明の請求項５に係る通信端末では、前記請求項４に係る通信端末にあって、さらに、端末利用者の画像を撮影する画像撮影手段が備えられ、この画像撮影手段により撮影された端末利用者の画像に基づいて当該端末利用者の行動が行動検知手段により検知される。
【００１２】
本発明の請求項６に係る通信端末では、前記請求項４または請求項５に係る通信端末にあって、さらに、各種の行動に応じた画像を記憶する画像記憶手段が備えられ、受信された番組と共に、情報受信された他の端末が番組受信中であることの情報が、前記行動情報受信手段により受信された当該他の端末利用者の行動の情報に応じた画像として前記画像記憶手段により記憶された各種の行動に応じた画像の中から読み出されて表示手段に表示される。
【００１３】
本発明の請求項７に係る通信端末では、前記請求項６に係る通信端末にあって、画像記憶手段を、各種の行動に応じた画像を複数種類の画像のそれぞれについて記憶する画像記憶手段とし、さらに、同番組を受信する他の端末に対応付けて当該端末の画像の種類を記憶する端末画像種記憶手段が備えられる。そして、受信された番組と共に、情報受信された他の端末が番組受信中であることの情報が、前記行動情報受信手段により受信された当該他の端末利用者の行動の情報に応じた画像で且つ前記端末画像種記憶手段により記憶された当該他の端末に対応する種類の画像として前記画像記憶手段により記憶された各種の行動に応じた複数種類の画像の中から読み出されて表示手段に表示される。
【００１４】
本発明の請求項８に係る通信端末では、前記請求項１乃至請求項７の何れか１項に係る通信端末にあって、さらに、第１の表示モードと第２の表示モードとを切り替える表示モード切り替え手段が備えられ、この表示モード切り替え手段により第１の表示モードに切り替えられた場合には、受信された番組のみが表示手段に表示され、第２の表示モードに切り替えられた場合には、受信された番組と共に、情報受信された他の端末が番組受信中であることの情報が表示手段に表示される。
【００１５】
本発明の請求項９に係る通信端末では、前記請求項８に係る通信端末にあって、さらに、受信される番組が所定の内容になったことを検知する番組内容検知手段が備えられ、表示モード切り替え手段により第１の表示モードに切り替えられた状態で、この番組内容検知手段により受信番組が所定の内容になったことが検知された場合には、当該第１の表示モードが第２の表示モードに切り替えられる。
【００１６】
本発明の請求項１０に係る通信端末では、前記請求項９に係る通信端末にあって、さらに、表示手段に受信番組を表示させると共に他の端末が番組受信中であることの情報を表示させているときに、前記番組内容検知手段により受信番組が所定の内容になったことが検知された状態において、当該他の端末との間でメッセージを送受信する番組内容対応メッセージ送受信手段が備えられる。
【００１７】
本発明の請求項１１に係る通信端末処理プログラムでは、当該プログラムを通信端末にインストールすることで、この通信端末のコンピュータにおいて、番組に対応付けて他の端末を記憶する記憶処理、この記憶処理により記憶された番組を受信する受信処理、この受信処理により前記番組を受信しているときに、当該番組の受信中であることの情報を前記記憶処理により記憶された他の端末へ通知する受信中通知処理、前記記憶処理により記憶された他の端末から番組受信中であることの情報を受信する情報受信処理、前記受信処理により受信された番組と共に、前記情報受信処理により受信された他の端末が番組受信中であることの情報を表示部に表示させる表示制御処理が実行される。
【００１８】
本発明の請求項１２に係る画像配信サーバでは、複数の端末から同一の番組についての視聴依頼が受信されると、この受信された視聴依頼に従って、番組別に当該番組について視聴依頼のあった複数の端末が対応付けられて記憶される。そして、番組受信手段により受信された番組の画像に対して、当該番組に対応付けられて記憶された複数の端末それぞれの情報が付加され、当該番組の視聴依頼端末に対して配信される。
【００１９】
本発明の請求項１３に係る画像配信サーバでは、前記請求項１２に係る画像配信サーバにあって、さらに、番組別に記憶された視聴依頼端末から当該端末に対応する番組の視聴中であることの情報を受信する視聴中情報受信手段が備えられ、番組受信手段により受信された番組の画像に対して、前記視聴中情報受信手段により視聴中であることの情報を受信した端末それぞれの情報が付加され、当該視聴中の端末に対して配信される。
【００２０】
本発明の請求項１４に係る画像配信サーバでは、前記請求項１３に係る画像配信サーバにあって、受信番組の画像に対して該番組視聴中であることの情報を受信した端末それぞれの情報を付加し当該視聴中の端末に配信しているときに、この画像配信先の複数の端末間でメッセージを送受信させるメッセージ処理手段が備えられる。
【００２１】
本発明の請求項１５に係る画像配信サーバでは、前記請求項１３または請求項１４に係る画像配信サーバにあって、さらに、番組視聴中であることの情報を受信した端末と同視聴中であることの情報を受信してない端末との間で番組視聴を誘うメッセージを送受信させる誘いメッセージ処理手段が備えられる。
【００２２】
本発明の請求項１６に係る画像配信サーバでは、前記請求項１３乃至請求項１５の何れか１項に係る画像配信サーバにあって、さらに、端末により検知された該端末利用者の行動の情報を受信する行動情報受信手段が備えられ、番組受信手段により受信された番組の画像に対して、前記視聴中情報受信手段により視聴中であることの情報を受信した端末それぞれの情報が前記行動情報受信手段により受信された当該端末利用者の行動の情報に応じて付加され、当該視聴中の端末に対して配信される。
【００２３】
本発明の請求項１７に係る画像配信サーバでは、前記請求項１６に係る画像配信サーバにあって、前記行動情報受信手段により受信される端末利用者の行動の情報が、当該端末が有する画像撮影手段により撮影された端末利用者の画像に基づき検知された行動の情報とされる。
【００２４】
本発明の請求項１８に係る画像配信サーバでは、前記請求項１６または請求項１７に係る画像配信サーバにあって、さらに、各種の行動に応じた画像を記憶する画像記憶手段が備えられ、番組受信手段により受信された番組の画像に対して、前記視聴中情報受信手段により視聴中であることの情報を受信した端末それぞれの情報が前記行動情報受信手段により受信された当該端末利用者の行動の情報に応じた画像として前記画像記憶手段により記憶された各種の行動に応じた画像の中から読み出されて付加され、当該視聴中の端末に対して配信される。
【００２５】
本発明の請求項１９に係る画像配信サーバでは、前記請求項１８に係る画像配信サーバにあって、画像記憶手段を、各種の行動に応じた画像を複数種類の画像のそれぞれについて記憶する画像記憶手段とし、さらに、同番組を視聴依頼した各端末に対応付けて当該端末の画像の種類を記憶する端末画像種記憶手段が備えられる。そして、番組受信手段により受信された番組の画像に対して、前記視聴中情報受信手段により視聴中であることの情報を受信した端末それぞれの情報が、前記行動情報受信手段により受信された当該端末利用者の行動の情報に応じた画像で且つ前記端末画像種記憶手段により記憶された当該端末に対応する種類の画像として前記画像記憶手段により記憶された各種の行動に応じた複数種類の画像の中から読み出されて付加され、当該視聴中である端末に対して配信される。
【００２６】
本発明の請求項２０に係る画像配信サーバでは、前記請求項１３乃至請求項１９の何れか１項に係る画像配信サーバにあって、さらに、受信される番組が所定の内容になったことを検知する番組内容検知手段と、受信番組の画像に対し該番組の視聴中であることの情報を受信した端末それぞれの情報を付加し当該視聴中の端末に配信しているときに、前記番組内容検知手段により配信中の受信番組が所定の内容になったことが検知された状態において、この画像配信先の複数の端末間でメッセージを送受信させる番組内容対応メッセージ処理手段が備えられる。
【００２７】
本発明の請求項２１に係る画像配信処理プログラムでは、当該プログラムを画像配信サーバにインストールすることで、この画像配信サーバのコンピュータにおいて、複数の端末から同一の番組についての視聴依頼を受信する視聴依頼受信処理、この視聴依頼受信処理により受信された視聴依頼に従って、番組別に当該番組について視聴依頼のあった複数の端末を対応付けて記憶する番組別端末記憶処理、番組を受信する番組受信処理、この番組受信処理により受信された番組の画像に対し、当該番組に対応付けられて前記番組別端末記憶処理により記憶された複数の端末それぞれの情報を付加し、当該番組の視聴依頼端末に配信する画像配信処理が実行される。
【００２８】
【発明の実施の形態】
以下、図面を参照して本発明の実施の形態について説明する。
【００２９】
（第１実施形態）
図１は、本発明の第１実施形態に係る通信端末１０Ａ，１０Ｂ，１０Ｃ，…を用いたＴＶ視聴システムの全体構成ならびに通信端末１０Ａの電子回路の構成を示すブロック図である。
【００３０】
このＴＶ視聴システムは、ユーザ個々のパーソナルコンピュータ（ＰＣ）からなる通信端末１０Ａ，１０Ｂ，１０Ｃ，…が、インターネットなどの通信ネットワークＮに接続されてなり、通信端末１０Ａ，１０Ｂ，１０Ｃ，…は、何れも同一の構成からなる。図１では、通信端末１０Ａの構成を代表として説明する。
【００３１】
通信端末１０Ａは、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ　ｐｒｏｃｅｓｓｉｎｇ　ｕｎｉｔ）１１が備えられる。
【００３２】
ＣＰＵ１１は、メモリ１２内に予め記憶された端末制御プログラム、あるいはＣＤ−ＲＯＭなどの外部記録媒体１３から記録媒体読取部１４を介して前記メモリ１２に読み込まれた端末制御プログラム、あるいはインターネットＮ上のＷｅｂサーバ３０（この場合はプログラムサーバ）から電送制御部１５を介して前記メモリ１２に読み込まれた端末制御プログラムに応じて、回路各部の動作を制御する。
【００３３】
前記メモリ１２に記憶された端末制御プログラムは、キーやタッチパネルからなる入力部１６からのユーザ操作に応じた入力信号、ＴＶアンテナ１７ａから放送受信部１７を介して受信入力されるＴＶ画像・音声信号、あるいは画像撮影部（デジタルカメラ）１８を介して撮影入力される画像信号、あるいは近距離通信部（Ｂｌｕｅｔｏｏｔｈ）１９を介して接続される室内電子機器（Ｂｌｕｅｔｏｏｔｈ搭載の家電・ＡＶ機器）２３…からの通信信号、あるいは電送制御部１５を介して接続される通信ネットワークＮ上の他の通信端末１０Ｂ，１０Ｃ，…や各Ｗｅｂサーバ３０…との通信信号に応じて起動される。
【００３４】
前記ＣＰＵ１１には、前記メモリ１２、記録媒体読取部１４、電送制御部１５、入力部１６、放送受信部１７、画像撮影部１８、近距離通信部１９が接続される他に、音声入力部２０、音声出力部２１、ＬＣＤからなる表示部２２などが接続される。
【００３５】
放送受信部１７は、ＴＶアンテナ１７ａから入力されたＴＶ放送を受信するもので、この放送受信部１７により受信されたＴＶ番組の画像データは、メモリ１２内の表示画面データメモリ１２ｍに書き込まれて表示部２２に表示され、また音声データは音声出力部２１から出力される。
【００３６】
画像撮影部１８は、例えば本通信端末１０Ａの表示画面上部に取り付けられたデジタルカメラにより構成され、主に本端末使用中のユーザを被写体とした撮影画像データを入力するもので、この画像撮影部１８により撮影された端末ユーザの撮影画像データは、ＣＰＵ１１により画像解析され、現在のユーザの行動が検知される。
【００３７】
近距離通信部１９は、Ｂｌｕｅｔｏｏｔｈを搭載した各種の室内電子機器２３との間で近距離無線通信を行い、各室内電子機器２３…それぞれの動作状態信号を得るもので、ＣＰＵ１１は各室内電子機器１３の動作状態信号に応じて端末ユーザの行動を検知する。例えばエアコンや照明がＯＮである場合には在室中、逆にＯＦＦである場合には外出中、電子レンジがＯＮである場合には食事中として検知する。
【００３８】
音声入力部２０は、主に端末ユーザの発声した音声を入力するもので、この音声入力部２０により入力したユーザ音声データは、例えば複数の通信端末１０Ａ，１０Ｂ，１０Ｃ，…間で同一のＴＶ番組を視聴している場合に、電送制御部１５から通信ネットワークＮを介して当該各通信端末１０Ｂ，１０Ｃ，…へ送信される。
【００３９】
音声出力部２１は、前記放送受信部１７を介して受信入力されたＴＶ放送番組の音声データ、あるいは複数の通信端末１０Ａ，１０Ｂ，１０Ｃ，…間で同一のＴＶ番組を視聴している場合に当該各通信端末１０Ｂ，１０Ｃ，…から電送制御部１５を介して受信された各端末ユーザからの音声データを出力する。
【００４０】
メモリ１２には、当該通信端末１０Ａの全体の動作を司るシステムプログラムや電送制御部１５を介して通信ネットワークＮ上の他の通信端末１０Ｂ，１０Ｃ，…、各Ｗｅｂサーバ３０…とデータ通信するためのネット通信プログラム、近距離通信部１９を介して室内電子機器２３…とデータ通信するための近距離通信プログラムなどからなる端末処理プログラム１２ａが記憶される他に、メールデータの作成，送受信，管理を行うためのメール処理プログラム１２ｂ、複数の通信端末１０Ａ，１０Ｂ，１０Ｃ，…間で同一のＴＶ番組を視聴するための視聴処理プログラム１２ｃなどが記憶される。
【００４１】
また、このメモリ１２には、モデルポーズ画像メモリ１２ｄ、キャラ１「ウサギ」ポーズ画像メモリ１２ｅ、キャラ２「クマ」ポーズ画像メモリ１２ｆ、キャラ３「ネコ」ポーズ画像メモリ１２ｇが用意され、さらにＴＶ視聴用ホームページメモリ１２ｈが用意される。
【００４２】
図２は前記通信端末１０Ａのキャラ１「ウサギ」ポーズ画像メモリ１２ｅ：キャラ２「クマ」ポーズ画像メモリ１２ｆ：キャラ３「ネコ」ポーズ画像メモリ１２ｇにそれぞれ記憶された各種のポーズ（行動形態）に対応する各キャラクタ画像を示す図である。
【００４３】
このキャラ１「ウサギ」，２「クマ」，３「ネコ」の各ポーズ画像メモリ１２ｅ，１２ｆ，１２ｇに記憶された各キャラクタそれぞれの各種のポーズ画像は、画像撮影部１８から入力された撮影画像上の被写体画像である端末ユーザのポーズに応じた真似画像として使用されるもので、異なるポーズ毎にそのポーズＮｏ．（行動番号）が対応付けられて記憶される。
【００４４】
図３は前記通信端末１０Ａのモデルポーズ画像メモリ１２ｄに記憶されたモデルポーズに対応するモデル画像を示す図である。
【００４５】
このモデルポーズ画像メモリ１２ｄに記憶された各種ポーズ（行動形態）のモデル画像は、画像撮影部１８から入力された撮影画像上の被写体画像である端末ユーザのポーズに応じた類似のモデル画像を取得するために使用されるもので、異なるポーズ毎にそのポーズＮｏ．（行動番号）が対応付けられて記憶され、さらに各ポーズＮｏ．（行動番号）毎に例えば２種のバリエーションＡ，Ｂのモデル画像が記憶される。
【００４６】
そして、前記キャラ１「ウサギ」ポーズ画像メモリ１２ｅ，キャラ２「クマ」ポーズ画像メモリ１２ｆ，キャラ３「ネコ」ポーズ画像メモリ１２ｇにそれぞれ記憶された各キャラクタ画像には、前記モデルポーズ画像メモリ１２ｄに記憶された全ての行動番号（Ｎｏ．１Ａ，１Ｂ、２Ａ，２Ｂ、〜、ｎＡ，ｎＢ）に対応する同じポーズのキャラクタ画像が用意されて記憶される。
【００４７】
ＴＶ視聴用ホームページメモリ１２ｈには、複数の通信端末１０Ａ，１０Ｂ，１０Ｃ，…間で同一のＴＶ番組を視聴する場合において、選択された所望の視聴番組別に該番組の放送情報（番組名，曜日，チャンネル，時間）および該番組を視聴する各友達データ（端末ユーザ名）とその友達（端末ユーザ）毎に選択されたキャラクタの種類が記憶される。
【００４８】
例えば番組Ａを視聴する友達データとしては、当該通信端末１０Ａのユーザである「タクヤ」、通信端末１０Ｂのユーザである「ヒロキ」、通信端末１０Ｃのユーザである「タロー」が登録され、各友達毎の選択キャラクタとしては、「タクヤ」が「クマ」、「ヒロキ」が「ネコ」、「タロー」が「ウサギ」として登録される。
【００４９】
つまり、ＴＶ視聴用ホームページメモリ１２ｈの登録データを参照することで、登録された各番組について、該番組へのアクセス情報、該番組を視聴する友達（端末ユーザ）が誰であるのか、また各ユーザを画像として表すキャラクタ種類を特定できることになる。
【００５０】
さらに、メモリ１２には、表示モードメモリ１２ｉ、アドレス帳データメモリ１２ｊ、メールデータメモリ１２ｋ、表示画面データメモリ１２ｍ、撮影画像データメモリ１２ｎ、ユーザ行動番号メモリ１２ｐが備えられる。
【００５１】
表示モードメモリ１２ｉには、ＴＶ番組の視聴に際して、表示画面のサブウインドウ全体に番組画像データを表示する場合の表示モードがフルサイズ表示モード、表示画面のサブウインドウ内に番組視聴中のユーザキャラクタを合成表示させるための疑似画像表示エリアを設定して番組画像データを表示する場合の表示モードが疑似画像表示モードとして記憶される。
【００５２】
アドレス帳データメモリ１２ｊには、当該通信端末１０Ａのユーザの知人・友人の名前，メールアドレス，電話番号，住所などが記憶される。
【００５３】
メールデータメモリ１２ｋには、メールプログラム１２ｂに従って作成送信された送信メールや電送制御部１５を介して受信された受信メールなどが記憶されて管理される。
【００５４】
表示画面データメモリ１２ｍには、表示部２２の表示画面に表示すべきＴＶ番組画像やユーザキャラクタ画像などの画像データがビットマップデータとして書き込まれる。
【００５５】
撮影画像データメモリ１２ｎには、画像撮影部１８を介して入力された撮影画像データが予め設定された撮影タイミング毎に順次所定撮影数分記憶される。
【００５６】
ユーザ行動番号メモリ１２ｐには、前記撮影画像データメモリ１２ｎに記憶された複数撮影分の端末ユーザを被写体とする画像データに基づき、モデルポーズ画像メモリ１２ｄに記憶された各ポーズのモデル画像との比較に従い検知されたユーザの現在のポーズ（行動形態）の行動番号が記憶される。
【００５７】
また、メモリ１２には、図示しないワークエリアが用意され、このワークエリアには、ＣＰＵ１１における各種の処理に応じて入出力される種々のデータが必要に応じて一時記憶される。
【００５８】
次に、前記構成の第１実施形態の通信端末１０Ａ，１０Ｂ，１０Ｃ，…を用いたＴＶ視聴システムの動作について説明する。
【００５９】
図４は前記第１実施形態のＴＶ視聴システムにより番組別の視聴仲間を設定するための動作を示すフローチャートであり、同図（Ａ）は同一番組の視聴を依頼する側の通信端末１０Ａにおける番組別友達依頼メール処理を示すフローチャート、同図（Ｂ）は同一番組の視聴を依頼される側の通信端末１０Ｂ，１０Ｃ，…における番組別友達依頼メール応答処理を示すフローチャートである。
【００６０】
通信端末１０Ａにおいて、電送制御部１５を介して通信ネットワーク（インターネット）Ｎにアクセスし、ＴＶ番組表を開いて表示部２２に表示させ（ステップＡ１）、このＴＶ番組表において所望の番組名を指定すると（ステップＡ２）、当該指定された番組名，放送曜日，チャンネル（インターネットＴＶの場合はネットサイトアドレス），放送時間が読み出され、ＴＶ視聴用ホームページメモリ１２ｈに登録される（ステップＡ３）。
【００６１】
すると、アドレス帳データメモリ１２ｊに記憶されている友人・知人のメールアドレスが表示部２２に一覧表示され、このメールアドレス一覧表示の中から前記視聴登録したＴＶ番組を一緒に見たい一人もしくは複数の友人のメールアドレスを指定すると（ステップＡ４）、当該ＴＶ番組の視聴友達になるか否かの回答を促すメッセージ、及び視聴友達になる場合には自分のキャラクタを何にするかの選択（この場合には「ウサギ」「クマ」「ネコ」の何れかを選択）を促すメッセージを記述した依頼メールが自動作成され、メールデータメモリ１２ｋに書き込まれる（ステップＡ５）。
【００６２】
すると、この自動作成された番組視聴友達依頼メールが前記指定された友人のメールアドレスを宛先とした例えば通信端末１０Ｂに対して伝送制御部１５を介して送信される（ステップＡ６）。
【００６３】
前記通信端末１０Ａから送信された番組視聴友達依頼メールが、例えば通信端末１０Ｂにおいて、その通常のメールプログラム１２ｃの起動に従い受信されると（ステップＢ１）、当該受信されたメールの開封表示により、依頼者（差出人）の名前、番組名，放送曜日，チャンネル（インターネットＴＶの場合はネットサイトアドレス）、視聴友達ＯＫ／ＮＧの選択肢、キャラクタの選択肢が表示される（ステップＢ２）。
【００６４】
ここで、番組視聴友達依頼メールの受信表示画面において、視聴友達“ＯＫ”が選択されると共に、自分のキャラクタが選択されると（ステップＢ３）、「番組視聴友達ＯＫ」及びキャラクタの選択番号（「ウサギ：１」「クマ：２」「ネコ：３」）が記述された返信メールが作成され（ステップＢ４）、前記番組視聴友達依頼元の通信端末１０Ａに対して送信される（ステップＢ５）。
【００６５】
番組視聴友達依頼元の通信端末１０Ａにおいて、前記依頼先の通信端末１０Ｂからの返信メールが、前記依頼メール送信時から一定期間経過の前に受信されると（ステップＡ７→Ａ１１→Ａ７）、当該受信開封された返信メールにおいて、番組視聴友達“ＯＫ”“ＮＧ”の何れが選択されているか判断される（ステップＡ８）。
【００６６】
そして、「参加ＯＫ」であると判断されると、当該返信メールの差出人である依頼先の友人名と、選択されたキャラクタ番号が、前記視聴指定された番組名，放送曜日，チャンネル（インターネットＴＶの場合はネットサイトアドレス），放送時間が登録されたＴＶ視聴用ホームページメモリ１２ｈに対して対応付けられて登録される（ステップＡ８→Ａ９）。
【００６７】
すると、複数の通信端末１０Ａ，１０Ｂ，１０Ｃ，…間で同一のＴＶ番組を視聴するための視聴処理プログラム１２ｃと共に、前記ＴＶ視聴用ホームページメモリ１２ｈに登録された視聴対象の番組名，放送曜日，チャンネル（インターネットＴＶの場合はネットサイトアドレス），放送時間、そして各友達名とその選択されたキャラクタ番号が添付された返信メールが作成され、前記「参加ＯＫ」の返信メールの差出人のメールアドレスを宛先として送信される（ステップＡ１０）。
【００６８】
この視聴友達依頼元の通信端末１０Ａから送信された視聴処理プログラム１２ｃを含む返信メールが、前記「参加ＯＫ」を選択した通信端末１０Ｂに受信されると（ステップＢ６）、当該受信メールに添付された視聴処理プログラム１２ｃが通信端末１０Ｂのメモリ１２内にインストールされると共に、視聴対象の番組名，放送曜日，チャンネル（インターネットＴＶの場合はネットサイトアドレス），放送時間、そして各友達名とその選択されたキャラクタ番号が、同端末１０Ｂ内のＴＶ視聴用ホームページメモリ１２ｈに対して設定登録される（ステップＢ７）。
【００６９】
図５は前記第１実施形態のＴＶ視聴システムによる視聴表示処理を示すフローチャートである。
【００７０】
図６は前記第１実施形態のＴＶ視聴システムによる番組視聴に伴い仲間の友達を同番組視聴に誘うための動作を示すフローチャートであり、同図（Ａ）は同番組視聴を誘う側の通信端末１０Ａ，１０Ｂ，…における番組視聴に誘う処理を示すフローチャート、同図（Ｂ）は同番組視聴に誘われる側の通信端末１０Ａ，１０Ｂ，…における番組視聴の誘いの応答処理を示すフローチャートである。
【００７１】
図７は前記第１実施形態のＴＶ視聴システムによる仲間の友達との視聴表示処理に伴う表示動作（その１）を示す図であり、同図（Ａｎ）は例えば通信端末１０Ａでの視聴表示動作を示す図、同図（Ｂｎ）は例えば通信端末１０Ｂでの視聴表示動作を示す図である。
【００７２】
図５における視聴表示処理において、ＣＰＵ１１により掲示される現在の時刻がＴＶ視聴用ホームページメモリ１２ｈに登録されている視聴対象番組の放送日時になったと判断されると（ステップＣ１）、当該視聴対象ＴＶ番組のチャンネル（インターネットＴＶの場合はネットサイトアドレス）に従い、放送受信部１７を介してその視聴対象ＴＶ番組が受信されるか、あるいは電送制御部１５を介してインターネットＴＶネットサイトからのストリーミング配信によりその視聴対象ＴＶ番組が受信される（ステップＣ２）。
【００７３】
すると、この受信された番組内容の画像データは、例えば図７（Ａ１）に示すように（この場合は「疑似画像表示モード」）、通信端末１０Ａ（タクヤ端末）における表示画面（２２）中のサブウインドウを番組表示画面（ＴＶ）として動画表示されると共に、音声データは音声出力部２１から出力される（ステップＣ３）。
【００７４】
ここで、表示モードメモリ１２ｉに設定されている表示モードがフルサイズ表示モードであるか否か（疑似画像表示モード）が判断され（ステップＣ４）、番組視聴中のユーザキャラクタを合成表示させるための疑似画像表示モードであると判断されると、番組表示画面（ＴＶ）の周りに当該番組視聴仲間である自分（タクヤ）と友人のキャラクタを表示させるための疑似画像表示エリアが設定される（ステップＣ５）。
【００７５】
すると、画像撮影部１８により当該端末ユーザ（視聴者）の撮影が行われて撮影画像データメモリ１２ｍに書き込まれ（ステップＣ６）、この視聴者の撮影画像データとモデルポーズ画像メモリ１２ｄ（図３参照）に記憶されている各種ポーズ（行動）毎のモデル画像とのパターンマッチングにより、最もマッチングの高いモデル画像の行動番号Ｎｏ．が検知され、ユーザ行動番号メモリ１２ｐに記憶される（ステップＣ７）。
【００７６】
すると、ＴＶ視聴用ホームページメモリ１２ｈに登録されている当該端末ユーザによる選択キャラクタの、前記ステップＣ７にて検知されたユーザ行動番号Ｎｏ．に対応するところのキャラクタ画像が読み出され、前記番組表示画面（ＴＶ）の周りに設定された疑似画像表示エリアに合成表示される（ステップＣ８）。
【００７７】
例えば図７（Ａ１）に示すように、通信端末１０Ａ（タクヤ端末）の選択キャラクタ「クマ」ａとして、現在の行動番号▲１▼（座っている）に対応する「クマ▲１▼」のキャラクタ画像がキャラ２「クマ」ポーズ画像メモリ１２ｆから読み出され、疑似画像表示エリアに合成表示される。
【００７８】
すると、当該通信端末（例えば１０Ａ：タクヤ端末）がＴＶ視聴用ホームページメモリ１２ｈに登録されたＴＶ番組（例えば「ロジラ」）を視聴中であることを示すデータ及び当該端末視聴者の行動番号Ｎｏ．（例えば▲１▼）が、同ＴＶ視聴用ホームページメモリ１２ｈに登録されている同番組視聴仲間の各友達の端末ＨＰアドレスに対して送信される（ステップＣ９）。
【００７９】
そして、当該通信端末（例えば１０Ａ：タクヤ端末）に対して、そのＴＶ視聴用ホームページメモリ１２ｈに登録されている同番組視聴仲間の各友達の端末ＨＰアドレスからの通信アクセスがあったと判断されると共に（ステップＣ１０）、その通信内容が番組視聴情報であると判断されると（ステップＣ１１）、その友人端末からの番組視聴情報に含まれる同ＴＶ番組の視聴中であることを示すデータ及び視聴者行動番号Ｎｏ．が読み出される（ステップＣ１２）。
【００８０】
すると、ＴＶ視聴用ホームページメモリ１２ｈに登録されている当該友人の選択キャラクタの、前記受信された視聴者行動番号Ｎｏ．に対応するところのキャラクタ画像が読み出され、前記番組表示画面（ＴＶ）の周りに設定された疑似画像表示エリアに当該ユーザ端末のキャラクタ画像と共に合成表示される（ステップＣ１３）。
【００８１】
例えば図７（Ａ１）に示すように、前記ステップＣ８において表示された当該通信端末１０Ａ（タクヤ端末）の現在の行動番号▲１▼（座っている）に対応する「クマ▲１▼」のキャラクタ画像ａと共に、通信端末１０Ｃ（タロー端末）から受信された現在の行動番号Ｎｏ．▲１▼に対応する選択キャラクタ「ウサギ▲１▼」のキャラクタ画像ｃがキャラ１「ウサギ」ポーズ画像メモリ１２ｅから読み出され、疑似画像表示エリアに合成表示される。
【００８２】
この後、前記視聴中のＴＶ番組の放送終了時刻になったか否か判断され（ステップＣ１４）、当該番組終了時刻と判断されない状態で、且つ疑似画像表示モードである場合には、当該ユーザ端末１０Ａ（タクヤ端末）における視聴者画像の撮影とその行動検知に基づくキャラクタ画像「クマ」ａの合成表示及びこの視聴情報の仲間の端末１０Ｂ，１０Ｃ，…に対する送信、そして、同ＴＶ視聴中の仲間の端末１０Ｃからの視聴情報の受信及びこれに基づく行動検知番号Ｎｏ．に対応するキャラクタ画像「ウサギ」ｃの合成表示が繰り返される（ステップＣ１４→Ｃ４〜Ｃ１３）。
【００８３】
一方、前記ステップＣ４において、表示モードメモリ１２ｉに設定されている表示モードがフルサイズ表示モードである場合には、受信中のＴＶ番組は表示画面中（２２）のサブウインドウに対して、前記各端末の行動キャラクタ画像を表示するための疑似画像表示エリアを設定しないフルサイズで表示される（ステップＣ１５）。
【００８４】
ここで、例えば図７（Ａ１）で示したように、通信端末１０Ａ（タクヤ端末）において、ＴＶ視聴用ホームページメモリ１２ｈに登録されている視聴対象ＴＶ番組「ロジラ」が受信表示されるのと共に、当該タクヤ端末１０Ａの行動キャラクタ画像「クマ」ａ、および同番組視聴仲間「タロー」「ヒロキ」のうちでタロー端末１０Ｃからの視聴情報に基づく行動キャラクタ画像「ウサギ」ｃが合成表示された状態で、視聴情報が受信されていない通信端末１０Ｂの「ヒロキ」も誘って同番組「ロジラ」を一緒に見たい場合には、まず、図６（Ａ）に示すような番組視聴に誘う処理が起動される。
【００８５】
すなわち、通信端末１０Ａ（タクヤ端末）において、友達リストが指定されると（ステップＤ１）、現在の視聴ＴＶ番組に対応付けられて登録された視聴仲間の友達名（この場合「タロー：端末１０Ｃ」「ヒロキ：端末１０Ｂ」）が読み出され、図７（Ａ２）に示すように、現在の視聴の有無を○×で示した友達リストＬとして合成表示される（ステップＤ２）。
【００８６】
この友達リストＬにおいて、現在視聴無“×”の記述された友達名「ヒロキ」が指定され（ステップＤ３）、文字または音声による任意のメッセージ（例えば誘いメッセージメール「ロジラが始まったよ！」Ｍａ１）が入力されると（ステップＤ４）、この誘いメッセージメールＭａ１が当該友達指定された「ヒロキ」の通信端末１０ＢのＴＶ視聴用ホームページへ送信される（ステップＤ５）。
【００８７】
「ヒロキ」の通信端末１０Ｂにおいて、そのＴＶ視聴用ホームページメモリ１２ｈに登録されている視聴対象ＴＶ番組（この場合「ロジラ」）の放送時刻になったと判断されると（ステップＥ１）、当該番組の視聴仲間の友達からの誘いメッセージが受信されたか否か判断される（ステップＥ２）。
【００８８】
そして、通信端末１０Ｂ（ヒロキ端末）において、同番組視聴仲間である通信端末１０Ａ（タクヤ端末）からの誘いメッセージが受信されたと判断された場合には、図７（Ｂ２）に示すように、受信メッセージ「ロジラが始まったよ！」と共に「ＴＶ開く」「返事する」「無視する」のボタンが設定された誘い応答画面Ｍｂ１が表示される（ステップＥ２→Ｅ３）。
【００８９】
この通信端末１０Ｂ（ヒロキ端末）に表示された誘い応答画面Ｍｂ１において、「ＴＶ開く」が指定されると（ステップＥ４）、当該端末１０Ｂ（ヒロキ端末）においても、前記通信端末１０Ａ（タクヤ端末）および１０Ｃ（タロー端末）と同様に、図５における視聴表示処理が起動され、図７（Ｂ３）（Ｂ４）に示すように、当該視聴対象ＴＶ番組「ロジラ」が受信表示されると共に、その疑似画像表示エリアに対して、当該端末１０Ｂによる「ヒロキ」の行動検知キャラクタ画像「ネコ」ｂおよび同番組視聴仲間からの視聴情報に基づく端末１０Ａによる「タクヤ」の行動検知キャラクタ画像「クマ」ａおよび端末１０Ｃによる「タロー」の行動検知キャラクタ画像「ウサギ」ｃも共に合成表示される。
【００９０】
これにより、視聴対象ＴＶ番組「ロジラ」の視聴仲間として設定された通信端末１０Ａ（タクヤ端末）、１０Ｂ（ヒロキ端末）、１０Ｃ（タロー端末）においては、各端末１０Ａ〜１０Ｃが疑似画像表示モードである場合、図７（Ａ３）（Ｂ３）（Ａ４）（Ｂ４）で示すように、各端末とも同一ＴＶ内容の画像表示と共に各端末ユーザの行動検知キャラクタ画像ａ，ｂ，ｃが合成表示される。
【００９１】
よって、各端末ユーザは、同番組視聴仲間の各友達が、それぞれ同じＴＶ番組を視聴中であること、また、どのようなポーズ（行動）で視聴中であるかを互いに連帯感を持って把握できるようになる。
【００９２】
一方、前記通信端末１０Ｂ（ヒロキ端末）に表示された誘い応答画面Ｍｂ１において、「ＴＶ開く」「無視する」は何れも指定されず、「返事する」が指定された場合に、文字または音声による任意のメッセージ（例えば「今忙しいからダメ！」を入力すると（ステップＥ４→Ｅ５→Ｅ６）、この返事のメッセージは前記番組視聴誘い元の通信端末（この場合「タクヤ端末」１０Ａ）のＴＶ視聴用ホームページへ送信される（ステップＥ７）。
【００９３】
すると、この後、前記視聴対象ＴＶ番組の放送終了時刻になったと判断されるまで、前記ステップＥ２における同番組視聴端末からのメッセージ受信判断に応じた処理が繰り返される（ステップＥ８→Ｅ２〜Ｅ７）。
【００９４】
図８は前記第１実施形態のＴＶ視聴システムによる番組視聴に伴う表示切り替え処理を示すフローチャートである。
【００９５】
図９は前記第１実施形態のＴＶ視聴システムによる番組視聴に伴うＣＭ中処理を示すフローチャートである。
【００９６】
図１０は前記第１実施形態のＴＶ視聴システムによる番組視聴に伴い仲間の友達をＣＭ品の購入に誘うための動作を示すフローチャートであり、同図（Ａ）はＣＭ品の購入を誘う側の通信端末１０Ａ，１０Ｂ，…におけるＣＭ品購入に誘う処理を示すフローチャート、同図（Ｂ）はＣＭ品の購入に誘われる側の通信端末１０Ａ，１０Ｂ，…におけるＣＭ品購入の誘いの応答処理を示すフローチャートである。
【００９７】
図１１は前記第１実施形態のＴＶ視聴システムによる仲間の友達との視聴表示処理に伴う表示動作（その２）を示す図であり、同図（Ａｎ）は例えば通信端末１０Ａでの視聴表示動作を示す図、同図（Ｂｎ）は例えば通信端末１０Ｂでの視聴表示動作を示す図である。
【００９８】
図８における表示切り替え処理において、例えば通信端末１０Ｂ（ヒロキ端末）でフルサイズ表示モードが指定されると（ステップＦ１）、当該端末１０Ｂの表示モードメモリ１２ｉに設定されている表示モードが、疑似画像表示モードからフルサイズ表示モードへ変更される（ステップＦ２）。
【００９９】
この場合、当該通信端末１０Ｂ（ヒロキ端末）では、その視聴表示処理（図５参照）でのステップＣ４→Ｃ１５に従って、図１１（Ｂ５）に示すように、受信中のＴＶ番組が表示画面中（２２）のサブウインドウに対して疑似画像表示エリアを設定しないフルサイズで表示される。
【０１００】
また、この場合、通信端末１０Ｂ（ヒロキ端末）における視聴者撮影に伴う行動検知は行われず、その行動番号が仲間の通信端末１０Ａ（タクヤ端末），１０Ｃ（タロー端末）に通知されなくなるので、例えば図１１（Ａ５）に示すように、通信端末１０Ａ（タクヤ端末）（あるいは１０Ｃ（タロー端末））の番組表示画面（ＴＶ）で合成表示されている「ヒロキ」の行動検知キャラクタ画像「ネコ」ｂは、その頭部の一部のみ表示した状態で固定表示される。
【０１０１】
一方、例えば通信端末１０Ｂ（ヒロキ端末）で再び疑似画像表示モードが指定されると（ステップＦ３）、当該端末１０Ｂの表示モードメモリ１２ｉに設定されている表示モードが、フルサイズ表示モードから疑似画像表示モードへ変更される（ステップＦ４）。
【０１０２】
この場合、当該通信端末１０Ｂ（ヒロキ端末）では、その視聴表示処理（図５参照）でのステップＣ４〜Ｃ１３に従って、図７（Ｂ４）で示したように、受信中のＴＶ番組が表示画面中（２２）のサブウインドウに対して再び疑似画像表示エリアを設定して表示されるのと共に、視聴者撮影に伴う行動検知が再び行われて、その行動番号が仲間の通信端末１０Ａ（タクヤ端末），１０Ｃ（タロー端末）に通知されるので、例えば図７（Ａ４）（Ｂ４）で示したように、通信端末１０Ａ（タクヤ端末）（あるいは１０Ｃ（タロー端末））そして当該通信端末１０Ｂ（ヒロキ端末）の何れの番組表示画面（ＴＶ）でも、「ヒロキ」の行動検知に応じたキャラクタ画像「ネコ」ｂが表示される。
【０１０３】
なお、図１１（Ａ６）に示すように、同ＴＶ番組視聴中の端末ユーザのキャラクタ画像（この場合「タロー」のキャラクタ画像「ウサギ」ｃ）をポインタで指定すると、指定されたキャラクタ画像に対応する端末ユーザの名前（この場合「タロー」）が表示される。そして、図１１（Ａ７）に示すように、文字または音声による任意のメッセージ（例えば「きっとスモーク攻撃するよ！」Ｍａ）が入力されると、当該友達指定された「タロー」の通信端末１０Ｃに対して入力されたメッセージが送信され、チャットによる自由なメッセージのやり取りが行われる。
【０１０４】
図９におけるＣＭ中処理において、例えばＴＶ受信信号に含まれる音声多重信号が“オフ”となることを検知して、視聴中のＴＶ番組がＣＭに入ったと判断されると（ステップＧ１）、現在、当該自分の端末がフルサイズ表示モードでの表示中であるか否か判断される（ステップＧ２）。
【０１０５】
そして、例えば図１１（Ｂ５）で示したように、例えば通信端末１０Ｂ（ヒロキ端末）において、フルサイズ表示モードでの番組表示中であると判断された場合には、その表示モードメモリ１２ｉにおけるモード設定が一時的に疑似画像表示モードに変更される（ステップＧ２→Ｇ３）。
【０１０６】
この場合、通信端末１０Ｂ（ヒロキ端末）では、図５における視聴表示処理でのステップＣ４〜Ｃ１３の処理に従って、図１１（Ｂ８）で示すように、自端末（ヒロキ端末１０Ｂ）の行動検知キャラクタ画像「ネコ」ｂおよび同ＴＶ番組視聴中の仲間の端末（タクヤ端末１０Ａ，タロー端末１０Ｃ）の各行動検知キャラクタ画像「クマ」ａ，「ウサギ」ｃを共に疑似画像表示エリアに合成表示したＣＭ番組表示画面（ＴＶｃｍ）として切り替え表示される。
【０１０７】
そして、前記疑似画像表示モードに一時的に変更設定された通信端末１０Ｂ（ヒロキ端末）において、例えばＴＶ受信信号に含まれる音声多重信号が“オン”となることを検知して、視聴中のＴＶ番組のＣＭが終わったと判断されると（ステップＧ４）、その表示モードメモリ１２ｉにおけるモード設定が疑似画像表示モードから再びフルサイズ表示モードに戻される（ステップＧ５）。
【０１０８】
ここで、例えば図１１（Ａ８）（Ｂ８）で示すように、各通信端末１０Ａ（タクヤ端末），１０Ｂ（ヒロキ端末），１０Ｃ（タロー端末）において、各対応する行動検知キャラクタ画像「クマ」ａ，「ネコ」ｂ，「ウサギ」ｃを共に疑似画像表示エリアに合成表示したＣＭ番組表示画面（ＴＶｃｍ）の表示状態にあって、通信端末１０Ａの「タクヤ」が通信端末１０Ｂ，１０Ｃの「ヒロキ」「タロー」に対してＣＭ品の購入を薦めたい場合には、図１０（Ａ）におけるＣＭ品購入に誘う処理が起動される。
【０１０９】
すなわち、通信端末１０Ａ（タクヤ端末）において、友達リストが指定されると（ステップＨ１）、現在の視聴ＴＶ番組に対応付けられて登録された視聴仲間の友達名（この場合「ヒロキ：端末１０Ｂ」「タロー：端末１０Ｃ」）が読み出され、現在の視聴の有無を○×で示した友達リストＬが前記ＣＭ番組表示画面（ＴＶｃｍ）に合成表示される（ステップＨ２）。
【０１１０】
この友達リストＬにおいて、現在視聴有り“○”の記述された友達名「ヒロキ」「タロー」がＣＭ品の購入を薦めたい友達として指定され（ステップＨ３）、図１１（Ａ８）で示すように、文字または音声による任意のメッセージ（例えばＣＭ品購入誘いメッセージメール「だれか買わないか！」Ｍａ２）を入力すると（ステップＨ４）、このＣＭ品購入の誘いメッセージは当該友達指定された「ヒロキ」「タロー」の通信端末１０Ｂ，１０ＣのＴＶ視聴用ホームページへ送信される（ステップＨ５）。
【０１１１】
例えば「ヒロキ」の通信端末１０Ｂにおいて、図１１（Ｂ８）で示すように、現在、ＣＭ番組表示画面（ＴＶｃｍ）によるＣＭ表示中であると判断されると（ステップＩ１）、視聴中の番組の仲間の友達からの誘いメッセージが受信されたか否か判断される（ステップＩ２）。
【０１１２】
そして、通信端末１０Ｂ（ヒロキ端末）において、同番組視聴仲間である通信端末１０Ａ（タクヤ端末）からのＣＭ品購入の誘いメッセージが受信されたと判断された場合には、図１１（Ｂ８）に示すように、受信メッセージ「だれか買わないか！」と共に「購入する」「返事する」「無視する」のボタンが設定されたＣＭ品購入誘い応答画面Ｍｂ２が表示される（ステップＩ２→Ｉ３）。
【０１１３】
この通信端末１０Ｂ（ヒロキ端末）に表示されたＣＭ品購入誘い応答画面Ｍｂ２において、「購入する」が指定されると（ステップＩ４）、現在のＣＭ番組により指定された商品購入のＷｅｂサイトと電送制御部１５から通信ネットワーク（インターネット）Ｎを介して接続され、その商品購入サイト画面がサブウインドウにして表示される。
【０１１４】
これにより、同一ＴＶ番組の視聴仲間において、そのうちの誰かが他の誰かに対して容易にＣＭ品の購入を薦めることができ、且つ購入を薦められた端末ユーザは、容易にその商品購入ネットサイトに接続して購入の操作を行うことができる。
【０１１５】
よって、各端末ユーザは、同番組視聴仲間の各友達との間で、互いに連帯感を持って番組視聴を行うことができる。
【０１１６】
一方、前記通信端末１０Ｂ（ヒロキ端末）に表示されたＣＭ品購入誘い応答画面Ｍｂ２において、「購入する」「無視する」は何れも指定されず、「返事する」が指定された場合に、文字または音声による任意のメッセージ（例えば「いらないよ！」を入力すると（ステップＩ４→Ｉ５→Ｉ６）、この返事のメッセージは前記ＣＭ品購入誘い元の通信端末（この場合「タクヤ端末」１０Ａ）のＴＶ視聴用ホームページへ送信される（ステップＩ７）。
【０１１７】
すると、この後、前記ＣＭ番組が終了になったと判断されるまで、前記ステップＩ２における同番組視聴端末からのメッセージ受信判断に応じた処理が繰り返される（ステップＩ８→Ｉ２〜Ｉ７）。
【０１１８】
前記図７および図１１において説明したＴＶ視聴システムの視聴表示処理に伴う表示動作（その１）（その２）では、同一ＴＶ視聴仲間の各通信端末１０Ａ，１０Ｂ，…間での端末ユーザによるメッセージのやり取りを文字入力による表示送信ならびに受信表示によって行う場合について示したが、次の図１２における視聴表示処理での動作で示すように、音声入力による送信ならびに受信出力によって各通信端末１０Ａ，１０Ｂ，…間でのメッセージのやり取りを行ってもよい。
【０１１９】
図１２は前記第１実施形態のＴＶ視聴システムによる仲間の友達との視聴表示処理に伴う表示動作（その３）を示す図であり、同図（Ａｎ）は例えば通信端末１０Ａ（ケイコ端末）での視聴表示動作を示す図、同図（Ｂｎ）は例えば通信端末１０Ｂ（ミユキ端末）での視聴表示動作を示す図である。
【０１２０】
すなわち、前記同様の第１実施形態のＴＶ視聴システムによる視聴表示処理を行うことで、同一ＴＶ番組の視聴仲間として設定された通信端末１０Ａ（ケイコ端末）、１０Ｂ（ミユキ端末）においては、各端末１０Ａ，１０Ｂが疑似画像表示モードである場合、図１２（Ａ１）〜（Ａ３）（Ｂ１）〜（Ｂ３）で示すように、各端末とも同一ＴＶ内容の画像表示（ＴＶ）と共に各端末ユーザの行動検知キャラクタ画像ａ，ｂが合成表示される。
【０１２１】
つまり、通信端末１０Ａにおける端末ユーザ（ケイコ）の行動、ならびに通信端末１０Ｂにおける端末ユーザ（ミユキ）Ｘの行動は、画像撮影部１８により撮影された各ユーザの画像をモデルポーズ画像メモリ１２ｄに記憶された各ポーズ（行動）毎のモデル画像との最大一致を判別することで検知される。そして、その最大一致のモデル画像の行動番号に対応するユーザ選択のキャラクタ画像ａ「クマ（ケイコ）」ならびにｂ「ネコ（ミユキ）」がＴＶ表示画面上の疑似画像表示エリアに合成表示されることで、お互いがどのような行動状態で同一のＴＶ番組を視聴しているかを把握できる。
【０１２２】
従って、図１２（Ａ２）（Ｂ２）および（Ａ３）（Ｂ３）で示すように、お互いがお互いの行動を表現するキャラクタ画像ａ，ｂを見ながら同一のＴＶ番組の視聴を行い、これに応じて音声メッセージの入力送信による相手端末ユーザへの話し掛けや返事をチャットで行うことで、各端末ユーザは、あたかも隣で同じＴＶ番組を一緒に見ているように、連帯感を持って視聴することができる。
【０１２３】
なお、端末ユーザの行動は、近距離通信部１９によって受信入力される室内電子機器２３…それぞれの使用状態信号に基づき判別検知し、その行動番号に対応するキャラクタ画像を読み出して合成表示する構成としてもよい。
【０１２４】
したがって、前記構成の第１実施形態の通信端末１０Ａ，１０Ｂ，１０Ｃ，…を用いたＴＶ視聴システムによれば、視聴したい番組情報（番組名，放送時間，チャンネル（ネットＴＶの場合はそのサイトアドレス））と当該番組の視聴仲間である各通信端末１０Ａ，１０Ｂ，…のユーザ名および各端末ユーザの疑似画像として表示すべきキャラクタ（「ウサギ」「クマ」など）の種類を対応付けてＴＶ視聴用ホームページメモリ１２ｈに登録し、この登録された番組を受信視聴しているときには、当該番組の視聴中であること、および端末ユーザの行動を検知して、視聴仲間の各通信端末１０Ａ，１０Ｂ，１０Ｃ，…へ送信すると共に、自分の端末にて検知された行動に対応する自分のキャラクタ画像および仲間の端末から受信された各端末ユーザの行動に対応するキャラクタ画像を、お互いの通信端末１０Ａ，１０Ｂ，１０Ｃ，…における番組表示画面の疑似画像表示エリアに合成して表示させるので、同一の番組を視聴する仲間の通信端末１０Ａ，１０Ｂ，…の間では、互いの視聴行動を把握しながら番組視聴を行うことができ、実際に同じ場所に居なくても、連帯感を持って同じ番組を視聴することができる。
【０１２５】
また、前記構成の第１実施形態の通信端末１０Ａ，１０Ｂ，１０Ｃ，…を用いたＴＶ視聴システムによれば、同じ番組を視聴している各通信端末１０Ａ，１０Ｂ，１０Ｃ，…同士で、所望のメッセージを文字あるいは音声データによって入力して送受信できるので、仲間同士隣で話しているような感覚で同一の番組を視聴することができる。
【０１２６】
また、前記構成の第１実施形態の通信端末１０Ａ，１０Ｂ，１０Ｃ，…を用いたＴＶ視聴システムによれば、ＴＶ視聴用ホームページメモリ１２ｈに登録された同一番組の視聴仲間を友達リストＬとして表示させると共に、当該番組の受信表示中に視聴中の情報が受信されてない端末ユーザをリストＬから指定して番組視聴誘いのメッセージを送信できるので、登録された仲間に誘いを掛けて同じ番組を視聴できるようになる。
【０１２７】
また、前記構成の第１実施形態の通信端末１０Ａ，１０Ｂ，１０Ｃ，…を用いたＴＶ視聴システムによれば、画像撮影部１８により撮影された端末ユーザの画像解析あるいは近距離通信部１９によって受信される室内電子機器２３…からの使用状態信号に応じて当該ユーザの行動を検知し、この検知された行動に最も似通ったキャラクタ画像を当該端末ユーザが番組視聴中である画像として各端末それぞれの番組表示画面に当該各端末ユーザの疑似画像として合成表示させるので、番組視聴仲間がお互いに仲間の視聴行動を知ることができるとしても、あくまで疑似画像としての表示であり、モニタ表示のように行動の一部始終が分かってしまうような弊害が生じることはない。
【０１２８】
また、前記構成の第１実施形態の通信端末１０Ａ，１０Ｂ，１０Ｃ，…を用いたＴＶ視聴システムによれば、番組表示画面に各端末ユーザの行動に対応するキャラクタ画像を合成して表示する疑似画像表示モードと番組表示画面をフルサイズで表示するフルサイズ表示モードとを選択的に切り替え設定し、フルサイズ表示モードを設定した通信端末では、当該端末ユーザの行動検知処理を行わず、その行動番号を仲間の通信端末へ送信することも行わないようにしたので、所定の番組を視聴していても、フルサイズ表示モードに切り替え設定することで、当該端末ユーザの行動を仲間の端末ユーザに知られないようにすることができる。
【０１２９】
なお、前記第１実施形態では、個々のユーザが所有する通信端末１０Ａ，１０Ｂ，…それぞれにインストールされた番組視聴処理プログラム１２ｃによって、各端末毎のＴＶ視聴用ホームページメモリ１２ｈに対し、仲間で視聴したい番組情報（番組名，放送時間，チャンネル（ネットＴＶの場合はそのサイトアドレス））と当該番組の視聴仲間である各通信端末１０Ａ，１０Ｂ，…のユーザ名および各端末ユーザの疑似画像として表示すべきキャラクタ（「ウサギ」「クマ」など）の種類を対応付けて登録し、この登録された仲間の通信端末間で直接に番組視聴中の情報や各端末ユーザの行動検知情報をやり取りして各端末における番組視聴画面に仲間の各端末ユーザの行動に応じたキャラクタ画像を合成表示させる構成としたが、次の第２実施形態において説明するように、通信ネットワーク（インターネット）Ｎ上に設けたＴＶ視聴システムの画像配信サーバ３０において、当該視聴システムを利用する各通信端末１０Ａ，１０Ｂ，…別にその仲間の端末間で同一のＴＶ番組を視聴させ、各端末に各端末ユーザの行動に対応するキャラクタ画像を配信して表示させるための通信端末別個別ホームページ（３２ｆ…）を設け、これに登録した仲間の端末間で同一番組の視聴表示ならびに各端末ユーザの疑似画像表示が行える構成としてもよい。
【０１３０】
（第２実施形態）
図１３は本発明の第２実施形態に係るＴＶ視聴システムの画像配信サーバ３０の構成を示すブロック図である。
【０１３１】
この第２実施形態のＴＶ視聴システムは、画像配信サーバ３０を中心に、当該視聴システムを利用するユーザ個々のパーソナルコンピュータ（ＰＣ）からなる通信端末１０Ａ，１０Ｂ，１０Ｃ，…が、インターネットなどの通信ネットワークＮを介して接続されてなる。
【０１３２】
通信端末１０Ａ，１０Ｂ，１０Ｃ，…は、何れも同一の構成からなり、前記第１実施形態で説明した図１における構成と略同様であるが、この第２実施形態のＴＶ視聴システムに使用する通信端末１０Ａ，１０Ｂ，１０Ｃ，…では、キャラ１「ウサギ」ポーズ画像メモリ１２ｅ、キャラ２「クマ」ポーズ画像メモリ１２ｆ、キャラ３「ネコ」ポーズ画像メモリ１２ｇ、ＴＶ視聴用ホームページメモリ１２ｈ、および放送受信部１７を備えていない構成とされる。
【０１３３】
画像配信サーバ３０は、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ　ｐｒｏｃｅｓｓｉｎｇ　ｕｎｉｔ）３１が備えられる。
【０１３４】
ＣＰＵ３１は、メモリ３２内に予め記憶されたサーバ制御プログラム、あるいはＣＤ−ＲＯＭなどの外部記録媒体３３から記録媒体読取部３４を介して前記メモリ３２に読み込まれたサーバ制御プログラム、あるいはインターネットＮ上の他のＷｅｂサーバ（この場合はプログラムサーバ）から電送制御部３５を介して前記メモリ３２に読み込まれたサーバ制御プログラムに応じて、回路各部の動作を制御する。
【０１３５】
前記メモリ３２に記憶されたサーバ制御プログラムは、キーやタッチパネルからなる入力部３６からのオペレータ操作に応じた入力信号、ＴＶアンテナ３７ａから放送受信部３７を介して受信入力されるＴＶ画像・音声信号、あるいは電送制御部３５を介して接続される通信ネットワークＮ上の通信端末１０Ａ，１０Ｂ，１０Ｃ，…との通信信号に応じて起動される。
【０１３６】
前記ＣＰＵ３１には、前記メモリ３２、記録媒体読取部３４、電送制御部３５、入力部３６、放送受信部３７が接続される他に、ＬＣＤからなる表示部３８などが接続される。
【０１３７】
放送受信部３７は、ＴＶアンテナ３７ａから入力されたＴＶ放送を受信するもので、この放送受信部３７により受信されたＴＶ番組の画像・音声データは、視聴処理の必要に応じて各通信端末１０Ａ，１０Ｂ，…へ配信される。
【０１３８】
メモリ３２には、当該画像配信サーバ３０の全体の動作を司るシステムプログラムや電送制御部３５を介して通信ネットワークＮ上の通信端末１０Ａ，１０Ｂ，１０Ｃ，…とデータ通信するためのネット通信プログラム、などからなるサーバ処理プログラムが記憶される他に、当該画像配信サーバ３０に登録した通信端末１０Ａ，１０Ｂ，１０Ｃ，…に対して同一の番組視聴仲間を設定させて該番組画像を配信し視聴させるためのサーバ視聴処理プログラム３２ａなどが記憶される。
【０１３９】
また、このメモリ３２には、モデルポーズ画像メモリ３２ｂ、キャラ１「ウサギ」ポーズ画像メモリ３２ｃ、キャラ２「クマ」ポーズ画像メモリ２２ｄ、キャラ３「ネコ」ポーズ画像メモリ３２ｅが用意され、さらに通信端末別個別ホームページメモリ３２ｆが用意される。
【０１４０】
ここで、この画像配信サーバ３０のモデルポーズ画像メモリ３２ｂ、キャラ１「ウサギ」ポーズ画像メモリ３２ｃ、キャラ２「クマ」ポーズ画像メモリ２２ｄ、キャラ３「ネコ」ポーズ画像メモリ３２ｅについては、前記第１実施形態における各通信端末１０Ａ，１０Ｂ，…のモデルポーズ画像メモリ１２ｄ、キャラ１「ウサギ」ポーズ画像メモリ１２ｅ、キャラ２「クマ」ポーズ画像メモリ１２ｆ、キャラ３「ネコ」ポーズ画像メモリ１２ｇと同一の内容・機能（図２，図３参照）であるためその説明を省略する。
【０１４１】
通信端末別個別ホームページメモリ３２ｆ…は、この画像配信サーバ３０を利用する各通信端末１０Ａ，１０Ｂ，１０Ｃ，…のそれぞれに個別に用意されるもので、この通信端末別個別ホームページメモリ３２ｆには、当該端末において選択された所望の視聴番組別に該番組の放送情報（番組名，曜日，チャンネル，時間）および該番組を視聴する各友達データ（端末ユーザ名）とその友達（端末ユーザ）毎に選択されたキャラクタの種類が記憶される。
【０１４２】
例えば通信端末１０Ａに対応する通信端末別個別ホームページメモリ３２ｆにおいて、番組Ａを視聴する友達データとしては、当該通信端末１０Ａのユーザである「タクヤ」、通信端末１０Ｂのユーザである「ヒロキ」、通信端末１０Ｃのユーザである「タロー」が登録され、各友達毎の選択キャラクタとしては、「タクヤ」が「クマ」、「ヒロキ」が「ネコ」、「タロー」が「ウサギ」として登録される。
【０１４３】
つまり、通信端末別の個別ホームページメモリ３２ｆの登録データを参照することで、該通信端末毎に登録された各番組について、該番組へのアクセス情報、該番組を視聴する友達（端末ユーザ）が誰であるのか、また各ユーザを画像として表すキャラクタ種類を特定できることになる。
【０１４４】
また、メモリ３２には、図示しないワークエリアが用意され、このワークエリアには、ＣＰＵ３１における各種の処理に応じて入出力される種々のデータが必要に応じて一時記憶される。
【０１４５】
次に、前記構成の第２実施形態のＴＶ視聴システムの動作について説明する。
【０１４６】
図１４は前記第２実施形態のＴＶ視聴システムにより番組別の視聴仲間を設定するための動作を示すフローチャートであり、同図（Ａ）は番組視聴仲間の設定依頼が通信端末１０Ａ，１０Ｂ，…から行われた場合の画像配信サーバ３０における番組別友達依頼ＨＰ処理を示すフローチャート、同図（Ｂ）は番組視聴を依頼された側の通信端末１０Ａ，１０Ｂ，…における番組別友達依頼メール応答処理を示すフローチャートである。
【０１４７】
例えば通信端末１０Ａから画像配信サーバ３０に対してアクセスが行われ、番組視聴仲間の設定依頼が行われると、インターネットのＴＶ番組表が設定依頼元の通信端末１０Ａへ送信される（ステップＪ１）。そして、通信端末１０Ａにて受信表示されたＴＶ番組表において、所望の番組名が指定されると（ステップＪ２）、当該指定された番組名，放送曜日，チャンネル（インターネットＴＶの場合はネットサイトアドレス），放送時間が読み出され、当該通信端末１０Ａに応じた通信端末別個別ホームページメモリ３２ｆに登録される（ステップＪ３）。
【０１４８】
そして、通信端末１０Ａにおいて、そのアドレス帳に記録された友人・知人のメールアドレスの中から前記視聴登録したＴＶ番組を一緒に見たい一人もしくは複数の友人のメールアドレスが指定されると（ステップＪ４）、当該ＴＶ番組の視聴友達になるか否かの回答を促すメッセージ、及び視聴友達になる場合には自分のキャラクタを何にするかの選択（この場合には「ウサギ」「クマ」「ネコ」の何れかを選択）を促すメッセージを記述した依頼メールが自動作成され、前記指定された友人のメールアドレスを宛先とした例えば通信端末１０Ｂに対して送信される（ステップＪ６）。
【０１４９】
前記通信端末１０Ａからの依頼指示に伴い、画像配信サーバ３０の端末別ＨＰ（３２ｆ）に基づき送信された番組視聴友達依頼メールが、例えば通信端末１０Ｂにおいて、その通常のメールプログラム１２ｃの起動に従い受信されると（ステップＫ１）、当該受信されたメールの開封表示により、依頼者（差出人）の名前、番組名，放送曜日，チャンネル（インターネットＴＶの場合はネットサイトアドレス）、視聴友達ＯＫ／ＮＧの選択肢、キャラクタの選択肢が表示される（ステップＫ２）。
【０１５０】
ここで、番組視聴友達依頼メールの受信表示画面において、視聴友達“ＯＫ”が選択されると共に、自分のキャラクタが選択されると（ステップＫ３）、「番組視聴友達ＯＫ」及びキャラクタの選択番号（「ウサギ：１」「クマ：２」「ネコ：３」）が記述された返信メールが作成され（ステップＫ４）、前記画像配信サーバ３０における番組視聴友達依頼元の通信端末１０Ａに対応する個別ＨＰ（３２ｆ）へ返信される（ステップＫ５）。
【０１５１】
画像配信サーバ３０の通信端末１０Ａに対応する個別ＨＰ（３２ｆ）において、前記依頼先の通信端末１０Ｂからの返信メールが、前記依頼メール送信時から一定期間経過の前に受信されると（ステップＪ７→Ｊ１１→Ｊ７）、当該受信開封された返信メールにおいて、番組視聴友達“ＯＫ”“ＮＧ”の何れが選択されているか判断される（ステップＪ８）。
【０１５２】
そして、「参加ＯＫ」であると判断されると、当該返信メールの差出人である依頼先の友人名と、選択されたキャラクタ番号が、前記視聴指定された番組名，放送曜日，チャンネル（インターネットＴＶの場合はネットサイトアドレス），放送時間が登録された通信端末１０Ａ用の個別ＨＰメモリ３２ｆに対して対応付けられて登録される（ステップＪ８→Ｊ９）。
【０１５３】
すると、通信端末１０Ａと同一の番組視聴を行うための視聴対象の番組名，放送曜日，チャンネル（インターネットＴＶの場合はネットサイトアドレス），放送時間、そして各友達名とその選択されたキャラクタ番号が登録された個別ＨＰメモリ３２ｆのＨＰアドレスが、前記同一視聴依頼先の通信端末１０Ｂへのメールに添付されて送信される（ステップＪ１０）。
【０１５４】
この視聴友達依頼元の通信端末１０Ａに対応する画像配信サーバ３０の個別ＨＰ（３２ｆ）から送信された当該ＨＰアドレスを含むメールが、前記「参加ＯＫ」を選択した通信端末１０Ｂに受信されると（ステップＫ６）、当該受信メールに添付された通信端末１０Ａと同一の番組視聴を行うためのＨＰアドレスが「お気に入り」の項目に自動またはマニュアル操作で登録される（ステップＫ７）。
【０１５５】
図１５は前記第２実施形態のＴＶ視聴システムの通信端末１０Ａ，１０Ｂ，…における端末視聴表示処理を示すフローチャートである。
【０１５６】
図１６は前記第２実施形態のＴＶ視聴システムの画像配信サーバ３０におけるサーバ視聴表示処理を示すフローチャートである。
【０１５７】
例えば通信端末１０Ａ，１０Ｂにおいて、画像配信サーバ３０の通信端末別個別ホームページメモリ３２ｆに登録した所定の番組の放送時間になったと判断されると（ステップＰ１）、現在の設定表示モードがフルサイズ表示モードであるか又は疑似画像表示モードであるかが判断される（ステップＰ２）。
【０１５８】
ここで、疑似画像表示モードの選択設定状態であると判断されると、当該疑似画像表示モードの設定情報が画像配信サーバ３０へ送信されると共に（ステップＰ３）、番組表示画面（ＴＶ）の周りに当該番組視聴仲間である自分と友人のキャラクタを表示させるための疑似画像表示エリアが設定される（ステップＰ４）。
【０１５９】
そして、通信端末１０Ａ，１０Ｂにおいて、画像撮影部（デジタルカメラ）１８により当該端末ユーザ（視聴者）の撮影が行われているか否か判断され（ステップＰ５）、撮影有りと判断された場合には、その画像撮影部１８により端末ユーザ（視聴者）の撮影が行われて撮影画像データメモリ１２ｍに書き込まれ（ステップＰ６）、この視聴者の撮影画像データとモデルポーズ画像メモリ１２ｄ（図３参照）に記憶されている各種ポーズ（行動）毎のモデル画像とのパターンマッチングにより、最もマッチングの高いモデル画像の行動番号Ｎｏ．が検知され、ユーザ行動番号メモリ１２ｐに記憶される（ステップＰ７）。
【０１６０】
すると、当該通信端末１０Ａ，１０Ｂがそれぞれ所定の番組を視聴中であることを示すデータ及び当該端末視聴者の行動番号Ｎｏ．が、画像配信サーバ３０に対して送信される（ステップＰ８）。
【０１６１】
また、前記ステップＰ５において、画像撮影部（デジタルカメラ）１８による端末ユーザ（視聴者）の撮影無しと判断された場合には、当該通信端末１０Ａ，１０Ｂがそれぞれ所定の番組を視聴中であることを示すデータのみ、画像配信サーバ３０へ送信される（ステップＰ５→Ｐ９）。
【０１６２】
画像配信サーバ３０において、例えば通信端末１０Ａ，１０Ｂに対応する個別ホームページメモリ３２ｆに登録された所定の番組の放送時間になったと判断されると（ステップＱ１）、当該放送ＴＶ番組が放送受信部３７を介して受信されるか、またはインターネットＴＶの場合にはそのネットサイトからストリーミング配信されるＴＶ番組が受信される（ステップＱ２）。
【０１６３】
また、通信端末１０Ａ，１０Ｂからそれぞれ受信された表示モードの設定情報に基づき、当該通信端末１０Ａ，１０Ｂがフルサイズ表示モードではなく、疑似画像表示モードの選択設定中であると判断された場合には（ステップＱ３）、前記ステップＱ２において受信される番組表示画面の周りに当該番組視聴仲間（この場合端末ユーザＡ，Ｂ）それぞれのキャラクタ画像を表示させるための疑似画像表示エリアが設定される（ステップＱ４）。
【０１６４】
そして、前記通信端末１０Ａ，１０Ｂからそれぞれ送信された「番組視聴中を示すデータ及び各端末視聴者の行動番号Ｎｏ．」が受信されると（ステップＱ５）、前記個別ＨＰメモリ３２ｆに登録されている当該各端末ユーザＡ，Ｂによる選択キャラクタの、受信された行動番号Ｎｏ．に対応するところのキャラクタ画像が読み出され、前記受信番組表示画面の周りに設定された疑似画像表示エリアに合成される（ステップＱ６）。なお、この際、通信端末１０Ａ，１０Ｂから番組視聴中を示すデータが受信されるのみで、視聴者行動番号が受信されない場合には、「行動番号▲１▼：座っている」が指定され、各端末に対応する「座っている」ポーズのキャラクタ画像が読み出され、前記受信番組表示画面の周りに設定された疑似画像表示エリアに合成される（ステップＱ６）。
【０１６５】
例えば、通信端末１０Ａ（タクヤ端末）の選択キャラクタ「クマ」ａとして、現在の行動番号に対応する「クマ」のキャラクタ画像がキャラ２「クマ」ポーズ画像メモリ３２ｄから読み出されて疑似画像表示エリアに合成され、また、通信端末１０Ｂ（ヒロキ端末）の選択キャラクタ「ネコ」ｂとして、現在の行動番号に対応する「ネコ」のキャラクタ画像がキャラ３「ネコ」ポーズ画像メモリ３２ｅから読み出されて疑似画像表示エリアに合成される。
【０１６６】
すなわち、前記個別ＨＰメモリ３２ｆに登録された同一番組視聴仲間の各端末１０Ａ，１０Ｂからその番組視聴情報と行動検知番号が受信される毎に、当該端末視聴者の行動番号に対応するキャラクタ画像が読み出されて番組表示画面に設定された疑似画像表示エリアに合成される（ステップＱ７→Ｑ５，Ｑ６）。
【０１６７】
すると、前記番組視聴仲間それぞれの行動に対応するキャラクタ画像が合成された番組表示画像データが、各対応する通信端末１０Ａ，１０Ｂに対して送信される（ステップＱ８）。
【０１６８】
通信端末１０Ａ，１０Ｂにおいて、前記画像配信サーバ３０から送信された番組視聴仲間（端末Ａ：タクヤ／端末Ｂ：ヒロキ）それぞれの行動に対応するキャラクタ画像が合成された番組表示画像データが受信されると、この受信された番組表示画像データは前記疑似画像表示モードに設定されている表示部２２の番組表示画面に対して表示される（ステップＰ１０）。
【０１６９】
この後、前記視聴中のＴＶ番組の放送終了時刻になったか否か判断され（ステップＰ１１）、当該番組終了時刻と判断されない状態で、且つ疑似画像表示モードである場合には、当該番組視聴仲間であるそれぞれの端末１０Ａ（タクヤ端末），１０Ｂ（ヒロキ端末）において、視聴者画像の撮影とその行動検知番号の画像配信サーバ３０に対する送信、そして、画像配信サーバ３０からの各端末キャラクタ画像が合成された番組表示画像データの受信表示処理が繰り返される（ステップＰ１１→Ｐ２〜Ｐ１０）。
【０１７０】
また、画像配信サーバ３０においても、所定の番組の放送終了時刻になったか否か判断され（ステップＱ９）、当該番組終了時刻と判断されない状態で、且つ番組画像配信中の各端末１０Ａ，１０Ｂが疑似画像表示モードである場合には、当該各端末からの視聴者行動番号の受信及びこの行動番号に対応する各端末キャラクタ画像の番組表示画像データに対する合成、そしてこの各端末キャラクタ画像の合成された番組表示画像データの各対応する通信端末１０Ａ，１０Ｂへの送信処理が繰り返される（ステップＱ９→Ｑ３〜Ｑ８）。
【０１７１】
一方、通信端末１０Ａ，１０ＢでのステップＰ２において、表示モードメモリ１２ｉに設定されている表示モードがフルサイズ表示モードである場合には、当該フルサイズ表示モードの設定情報が画像配信サーバ３０へ送信される（ステップＰ１２）。
【０１７２】
画像配信サーバ３０において、前記通信端末１０Ａあるいは１０Ｂから送信されたフルサイズ表示モードの設定情報が受信されると、受信中の番組画像は、前記各端末の行動キャラクタ画像を合成するための疑似画像表示エリアを設定しないフルサイズ画面の表示用に設定され、各対応する通信端末１０Ａあるいは１０Ｂに対して送信される（ステップＱ３→Ｑ１０）。
【０１７３】
そして、フルサイズ表示モードに設定された通信端末１０Ａ，１０Ｂにおいて、前記画像配信サーバ３０から送信されたフルサイズ画面表示用の番組画像データが受信されると、当該受信された番組画像データが表示部２２に対してフルサイズ画面に設定されて表示される（ステップＰ１３）。
【０１７４】
これにより、画像配信サーバ３０の通信端末別個別ホームページメモリ３２ｆに登録設定された所定の番組の視聴仲間としての通信端末１０Ａ（タクヤ端末）、１０Ｂ（ヒロキ端末）においては、各端末１０Ａ，１０Ｂが疑似画像表示モードである場合、画像配信サーバ３０において各端末ユーザの行動検知キャラクタ画像ａ，ｂが合成された番組表示画像が受信されて表示される。
【０１７５】
よって、各端末ユーザは、画像配信サーバ３０によって同番組視聴仲間となっている各友達が、それぞれ同じＴＶ番組を視聴中であること、また、どのようなポーズ（行動）で視聴中であるかを互いに連帯感を持って把握できるようになる。
【０１７６】
なお、前記第１実施形態の図６を用いて説明した番組視聴に誘う処理やその誘いの応答処理、図８を用いて説明した番組視聴に伴う表示切り替え処理、図９を用いて説明した番組視聴に伴うＣＭ中処理、図１０を用いて説明したＣＭ品購入に誘う処理やその誘いの応答処理は、その何れも略同様の手順により本第２実施形態の画像配信サーバ３０を中心として実施することができ、同様の作用効果を得ることができる。
【０１７７】
従って、この第２実施形態の画像配信サーバ３０を用いたＴＶ視聴システムにあっても、番組視聴仲間としてＨＰ登録した各通信端末１０Ａ，１０Ｂ，…においては、お互いがお互いの行動を表現するキャラクタ画像ａ，ｂ，…を見ながら同一のＴＶ番組の視聴を行うことができ、しかも、これに応じて音声メッセージの入力送信による仲間の端末ユーザへの話し掛けや返事をチャットで行うことで、各端末ユーザは、あたかも隣で同じＴＶ番組を一緒に見ているように、連帯感を持って視聴することができる。
【０１７８】
なお、この第２実施形態のＴＶ視聴システムにおける各通信端末１０Ａ，１０Ｂ，…においても、端末ユーザの行動を、近距離通信部１９によって受信入力される室内電子機器２３…それぞれの使用状態信号に基づき判別検知する構成としてもよい。
【０１７９】
したがって、前記構成の第２実施形態の画像配信サーバ３０を用いたＴＶ視聴システムによれば、例えば通信端末１０Ａから通信端末１０Ｂに対し画像配信サーバ３０を経由したメールにより所望の番組の視聴仲間としての参加依頼があり、端末１０Ｂの参加ＯＫの応答に応じて画像配信サーバ３０における端末１０Ａの個別ホームページメモリ３２ｆにおいて前記所望の番組の放送情報及び各参加端末ユーザの名前及び選択キャラクタが登録されると、当該所望の放送番組が受信されるのと共に、この番組画像に対して各端末から受信されたユーザの行動検知番号に対応するキャラクタ画像が合成されて各通信端末１０Ａ，１０Ｂに配信・表示されるので、同一番組の視聴仲間として登録された通信端末１０Ａ，１０Ｂでは、互いに同一の番組を連帯感を持って視聴できるようになる。
【０１８０】
また、前記構成の第２実施形態の画像配信サーバ３０を用いたＴＶ視聴システムによれば、個別ホームページメモリ３２ｆに登録された通信端末１０Ａ，１０Ｂから番組視聴中及びその視聴者（ユーザ）行動を示すデータを受信した場合に、当該視聴中の端末ユーザの行動に対応するキャラクタ画像が番組画像に合成されて配信されるので、各通信端末１０Ａ，１０Ｂではそれぞれ仲間の端末ユーザが共に視聴中であるかどうかを容易に確認できるようになる。
【０１８１】
また、前記構成の第２実施形態の画像配信サーバ３０を用いたＴＶ視聴システムによれば、登録された各通信端末１０Ａ，１０Ｂに対して同一の番組画像を配信表示させている状態で、画像配信サーバ３０を経由して当該各通信端末１０Ａ，１０Ｂ同士で、所望のメッセージを文字あるいは音声データによって入力して送受信できるので、仲間同士隣で話しているような感覚で同一の番組を視聴できるようになる。
【０１８２】
また、前記構成の第２実施形態の画像配信サーバ３０を用いたＴＶ視聴システムによれば、図６を用いて説明した番組視聴に誘う処理やその誘いの応答処理を、画像配信サーバ３０を介して実施することにより、通信端末別個別ホームページメモリ３２ｆに登録された同一番組の視聴仲間を各端末１０Ａ，１０Ｂ，…毎に友達リストＬとして表示できると共に、当該番組の受信表示中に視聴中を示すキャラクタ画像が合成表示されてない端末ユーザをリストＬから指定して番組視聴誘いのメッセージを送信できるので、登録された仲間に誘いを掛けて同じ番組を視聴できるようになる。
【０１８３】
また、前記構成の第２実施形態の画像配信サーバ３０を用いたＴＶ視聴システムによれば、各端末１０Ａ，１０Ｂ，…の画像撮影部１８により撮影された端末ユーザの画像解析あるいは近距離通信部１９によって受信される室内電子機器２３…からの使用状態信号に応じて検知された当該ユーザの行動番号を受信し、この受信された行動番号に対応する疑似ユーザとしてのキャラクタ画像を該端末ユーザが番組視聴中である画像として番組画像に合成して配信表示させるので、各端末１０Ａ，１０Ｂ，…においてその番組視聴仲間がお互いに仲間の視聴行動を知ることができるとしても、あくまで疑似画像としての表示であり、モニタ表示のように行動の一部始終が分かってしまうような弊害が生じることはない。
【０１８４】
なお、前記各実施形態において記載したＴＶ視聴システムにおける各通信端末１０Ａ，１０Ｂ，…や画像配信サーバ３０による各処理の手法、すなわち、図４Ａ）のフローチャートに示す第１実施形態のＴＶ視聴システムによる同一番組の視聴を依頼する側の通信端末１０Ａ，１０Ｂ，…における番組別友達依頼メール処理、図４（Ｂ）のフローチャートに示す第１実施形態のＴＶ視聴システムによる同一番組の視聴を依頼される側の通信端末１０Ａ，１０Ｂ，…における番組別友達依頼メール応答処理、図５のフローチャートに示す第１実施形態のＴＶ視聴システムによる通信端末１０Ａ，１０Ｂ，…における視聴表示処理、図６（Ａ）のフローチャートに示す同番組視聴を誘う側の通信端末１０Ａ，１０Ｂ，…における番組視聴に誘う処理、図６（Ｂ）のフローチャートに示す同番組視聴に誘われる側の通信端末１０Ａ，１０Ｂ，…における番組視聴の誘いの応答処理、図８のフローチャートに示す通信端末１０Ａ，１０Ｂ，…での番組視聴に伴う表示切り替え処理、図９のフローチャートに示す通信端末１０Ａ，１０Ｂ，…での番組視聴に伴うＣＭ中処理、図１０（Ａ）のフローチャートに示すＣＭ品の購入を誘う側の通信端末１０Ａ，１０Ｂ，…におけるＣＭ品購入に誘う処理、図１０（Ｂ）のフローチャートに示すＣＭ品の購入に誘われる側の通信端末１０Ａ，１０Ｂ，…におけるＣＭ品購入の誘いの応答処理、図１４（Ａ）のフローチャートに示す第２実施形態のＴＶ視聴システムによる番組視聴仲間の設定依頼が通信端末１０Ａ，１０Ｂ，…から行われた場合の画像配信サーバ３０における番組別友達依頼ＨＰ処理、図１４（Ｂ）のフローチャートに示す第２実施形態のＴＶ視聴システムによる番組視聴を依頼された側の通信端末１０Ａ，１０Ｂ，…における番組別友達依頼メール応答処理、図１５のフローチャートに示す第２実施形態のＴＶ視聴システムによる通信端末１０Ａ，１０Ｂ，…における端末視聴表示処理、図１６のフローチャートに示す第２実施形態のＴＶ視聴システムによる画像配信サーバ３０におけるサーバ視聴表示処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３，３３に格納して配布することができる。そして、通信ネットワーク（インターネット）Ｎとの通信機能を備えた種々のコンピュータ端末は、この外部記録媒体１３，３３に記憶されたプログラムを記録媒体読取部１４，３４によってメモリ１２，３２に読み込み、この読み込んだプログラムによって動作が制御されることにより、前記実施形態において説明した仲間の通信端末１０Ａ，１０Ｂ，…間での同一番組視聴機能を実現し、前述した手法による同様の処理を実行することができる。
【０１８５】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した仲間の通信端末１０Ａ，１０Ｂ，…間での同一番組視聴機能を実現することもできる。
【０１８６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１８７】
【発明の効果】
本発明の請求項１に係る通信端末によれば、番組に対応付けられて他の端末が記憶され、この記憶された番組を受信手段により受信しているときに、当該番組の受信中であることの情報が前記記憶された他の端末へ通知されると共に、該記憶された他の端末から番組受信中であることの情報が受信される。すると、前記受信された番組と共に、情報受信された他の端末が番組受信中であることの情報が表示手段に表示されるので、同じ番組を受信表示している端末間相互で他の端末が同番組を受信表示中であることを知ることができる。
【０１８８】
本発明の請求項２に係る通信端末によれば、表示手段に受信番組を表示させると共に他の端末が番組受信中であることの情報を表示させているときに、当該他の端末との間でメッセージを送受信するメッセージ送受信手段が備えられるので、同じ番組を受信表示している端末相互間において、例えば同番組についてのメッセージをやり取りできる。
【０１８９】
本発明の請求項３に係る通信端末によれば、番組に対応付けられて記憶された他の端末のうちで、番組受信中であることの情報が受信されてない端末に対し、番組受信を誘うメッセージを送信する誘うメッセージ送信手段が備えられるので、同じ番組の受信仲間である各端末の中で同番組を受信中でない端末に対し、番組受信を促すメッセージを送ることができる。
【０１９０】
本発明の請求項４に係る通信端末によれば、端末利用者の行動を検知する行動検知手段と、この行動検知手段により検知された端末利用者の行動の情報を他の端末に対して送信する行動情報送信手段と、他の端末から当該他の端末利用者の行動の情報を受信する行動情報受信手段とが備えられ、受信された番組と共に、情報受信された他の端末が番組受信中であることの情報が前記行動情報受信手段により受信された当該他の端末利用者の行動の情報に応じて表示手段に表示されるので、同じ番組を受信表示している端末間相互で他の端末利用者が同番組をどのような行動状態で受信表示中であるかを知ることができる。
【０１９１】
本発明の請求項５に係る通信端末によれば、さらに、端末利用者の画像を撮影する画像撮影手段が備えられ、この画像撮影手段により撮影された端末利用者の画像に基づいて当該端末利用者の行動が行動検知手段により検知されるので、デジタルカメラなどの画像撮影手段により撮影された端末利用者の画像によって該端末利用者の行動を検知することができる。
【０１９２】
本発明の請求項６に係る通信端末によれば、さらに、各種の行動に応じた画像を記憶する画像記憶手段が備えられ、受信された番組と共に、情報受信された他の端末が番組受信中であることの情報が、前記行動情報受信手段により受信された当該他の端末利用者の行動の情報に応じた画像として前記画像記憶手段により記憶された各種の行動に応じた画像の中から読み出されて表示手段に表示されるので、同一の番組を受信表示中の端末相互において、他の端末利用者がどのような行動状態で同番組を受信表示中であるかを、その行動に応じた画像として見ることができる。
【０１９３】
本発明の請求項７に係る通信端末によれば、画像記憶手段を、各種の行動に応じた画像を複数種類の画像のそれぞれについて記憶する画像記憶手段とし、さらに、同番組を受信する他の端末に対応付けて当該端末の画像の種類を記憶する端末画像種記憶手段が備えられる。そして、受信された番組と共に、情報受信された他の端末が番組受信中であることの情報が、前記行動情報受信手段により受信された当該他の端末利用者の行動の情報に応じた画像で且つ前記端末画像種記憶手段により記憶された当該他の端末に対応する種類の画像として前記画像記憶手段により記憶された各種の行動に応じた複数種類の画像の中から読み出されて表示手段に表示されるので、同一の番組を受信表示中の端末相互において、他の端末利用者がどのような行動状態で同番組を受信表示中であるかを、その行動に応じた端末毎に異なる種類の画像として見ることができる。
【０１９４】
本発明の請求項８に係る通信端末によれば、さらに、第１の表示モードと第２の表示モードとを切り替える表示モード切り替え手段が備えられ、この表示モード切り替え手段により第１の表示モードに切り替えられた場合には、受信された番組のみが表示手段に表示され、第２の表示モードに切り替えられた場合には、受信された番組と共に、情報受信された他の端末が番組受信中であることの情報が表示手段に表示されるので、同一の番組を受信表示中である各端末において、互いの端末が同番組を受信表示中であることの情報を表示させない番組のみの受信表示状態と、互いの端末が同番組を受信表示中であることの情報を番組と共に受信表示させる表示状態とを切り替えることができる。
【０１９５】
本発明の請求項９に係る通信端末によれば、さらに、受信される番組が所定の内容になったことを検知する番組内容検知手段が備えられ、表示モード切り替え手段により第１の表示モードに切り替えられた状態で、この番組内容検知手段により受信番組が所定の内容になったことが検知された場合には、当該第１の表示モードが第２の表示モードに切り替えられるので、番組のみを受信表示させる第１の表示モードに切り替えられていても、当該受信番組の内容がＣＭ（コマーシャル）などの所定の内容になった場合には、他の端末が同番組を受信表示中であるかを知ることのできる第２の表示モードへ強制的に戻すことができる。
【０１９６】
本発明の請求項１０に係る通信端末によれば、さらに、表示手段に受信番組を表示させると共に他の端末が番組受信中であることの情報を表示させているときに、前記番組内容検知手段により受信番組が所定の内容になったことが検知された状態において、当該他の端末との間でメッセージを送受信する番組内容対応メッセージ送受信手段が備えられるので、受信番組の内容がＣＭ（コマーシャル）などの所定の内容になった場合に、同番組を共に受信表示中である他の端末との間で、例えば該ＣＭについてのメッセージをやり取りできる。
【０１９７】
本発明の請求項１１に係る通信端末処理プログラムによれば、当該プログラムを通信端末にインストールすることで、この通信端末のコンピュータにおいて、番組に対応付けて他の端末を記憶する記憶処理、この記憶処理により記憶された番組を受信する受信処理、この受信処理により前記番組を受信しているときに、当該番組の受信中であることの情報を前記記憶処理により記憶された他の端末へ通知する受信中通知処理、前記記憶処理により記憶された他の端末から番組受信中であることの情報を受信する情報受信処理、前記受信処理により受信された番組と共に、前記情報受信処理により受信された他の端末が番組受信中であることの情報を表示部に表示させる表示制御処理が実行されるので、同じ番組を受信表示している端末間相互で他の端末が同番組を受信表示中であることを知ることができる。
【０１９８】
本発明の請求項１２に係る画像配信サーバによれば、複数の端末から同一の番組についての視聴依頼が受信されると、この受信された視聴依頼に従って、番組別に当該番組について視聴依頼のあった複数の端末が対応付けられて記憶される。そして、番組受信手段により受信された番組の画像に対して、当該番組に対応付けられて記憶された複数の端末それぞれの情報が付加され、当該番組の視聴依頼端末に対して配信されるので、同じ番組の視聴を依頼した通信端末の相互間で、互いの端末の情報を付加した番組画像を受信表示することのできるサービスを提供できる。
【０１９９】
本発明の請求項１３に係る画像配信サーバによれば、さらに、番組別に記憶された視聴依頼端末から当該端末に対応する番組の視聴中であることの情報を受信する視聴中情報受信手段が備えられ、番組受信手段により受信された番組の画像に対して、前記視聴中情報受信手段により視聴中であることの情報を受信した端末それぞれの情報が付加され、当該視聴中の端末に対して配信されるので、同じ番組の視聴を依頼した通信端末の相互間で、互いに同じ番組を視聴表示中である各端末を知ることのできるサービスを提供できる。
【０２００】
本発明の請求項１４に係る画像配信サーバによれば、受信番組の画像に対して該番組視聴中であることの情報を受信した端末それぞれの情報を付加し当該視聴中の端末に配信しているときに、この画像配信先の複数の端末間でメッセージを送受信させるメッセージ処理手段が備えられるので、同じ番組を視聴表示中の端末相互間において、例えば同番組についてのメッセージがやり取りできるようになるサービスを提供できる。
【０２０１】
本発明の請求項１５に係る画像配信サーバによれば、さらに、番組視聴中であることの情報を受信した端末と同視聴中であることの情報を受信してない端末との間で番組視聴を誘うメッセージを送受信させる誘いメッセージ処理手段が備えられるので、同じ番組の視聴仲間である各端末の中で同番組を視聴表示中でない端末に対し、番組視聴を促すメッセージをやり取りできるようになるサービスを提供できる。
【０２０２】
本発明の請求項１６に係る画像配信サーバによれば、さらに、端末により検知された該端末利用者の行動の情報を受信する行動情報受信手段が備えられ、番組受信手段により受信された番組の画像に対して、前記視聴中情報受信手段により視聴中であることの情報を受信した端末それぞれの情報が前記行動情報受信手段により受信された当該端末利用者の行動の情報に応じて付加され、当該視聴中の端末に対して配信されるので、同じ番組を視聴表示している端末間相互で各端末利用者が同番組をどのような行動状態で視聴表示中であるかを知ることのできるサービスを提供できる。
【０２０３】
本発明の請求項１７に係る画像配信サーバによれば、前記行動情報受信手段により受信される端末利用者の行動の情報が、当該端末が有する画像撮影手段により撮影された端末利用者の画像に基づき検知された行動の情報とされるので、デジタルカメラなどの画像撮影手段により撮影された端末利用者の画像に基づく行動の情報によって、端末利用者のよりリアルな行動の情報を付加した番組画像を配信できる。
【０２０４】
本発明の請求項１８に係る画像配信サーバによれば、さらに、各種の行動に応じた画像を記憶する画像記憶手段が備えられ、番組受信手段により受信された番組の画像に対して、前記視聴中情報受信手段により視聴中であることの情報を受信した端末それぞれの情報が前記行動情報受信手段により受信された当該端末利用者の行動の情報に応じた画像として前記画像記憶手段により記憶された各種の行動に応じた画像の中から読み出されて付加され、当該視聴中の端末に対して配信されるので、同一の番組を視聴表示中の端末相互において、各端末利用者がどのような行動状態で同番組を視聴表示中であるのかを、その行動に応じた画像として見ることができるようになるサービスを提供できる。
【０２０５】
本発明の請求項１９に係る画像配信サーバによれば、画像記憶手段を、各種の行動に応じた画像を複数種類の画像のそれぞれについて記憶する画像記憶手段とし、さらに、同番組を視聴依頼した各端末に対応付けて当該端末の画像の種類を記憶する端末画像種記憶手段が備えられる。そして、番組受信手段により受信された番組の画像に対して、前記視聴中情報受信手段により視聴中であることの情報を受信した端末それぞれの情報が、前記行動情報受信手段により受信された当該端末利用者の行動の情報に応じた画像で且つ前記端末画像種記憶手段により記憶された当該端末に対応する種類の画像として前記画像記憶手段により記憶された各種の行動に応じた複数種類の画像の中から読み出されて付加され、当該視聴中である端末に対して配信されるので、同一の番組を視聴表示中の端末相互において、各端末利用者がどのような行動状態で同番組を受信表示中であるかを、その行動に応じた端末毎に異なる種類の画像として見ることができるようになるサービスを提供できる。
【０２０６】
本発明の請求項２０に係る画像配信サーバによれば、さらに、受信される番組が所定の内容になったことを検知する番組内容検知手段と、受信番組の画像に対し該番組の視聴中であることの情報を受信した端末それぞれの情報を付加し当該視聴中の端末に配信しているときに、前記番組内容検知手段により配信中の受信番組が所定の内容になったことが検知された状態において、この画像配信先の複数の端末間でメッセージを送受信させる番組内容対応メッセージ処理手段が備えられるので、同一の番組を視聴中の各端末相互において、その番組内容がＣＭ（コマーシャル）などの所定の内容になった場合に、例えば該ＣＭについてのメッセージをやり取りすることのできるサービスを提供できる。
【０２０７】
本発明の請求項２１に係る画像配信処理プログラムによれば、当該プログラムを画像配信サーバにインストールすることで、この画像配信サーバのコンピュータにおいて、複数の端末から同一の番組についての視聴依頼を受信する視聴依頼受信処理、この視聴依頼受信処理により受信された視聴依頼に従って、番組別に当該番組について視聴依頼のあった複数の端末を対応付けて記憶する番組別端末記憶処理、番組を受信する番組受信処理、この番組受信処理により受信された番組の画像に対し、当該番組に対応付けられて前記番組別端末記憶処理により記憶された複数の端末それぞれの情報を付加し、当該番組の視聴依頼端末に配信する画像配信処理が実行されるので、同じ番組の視聴を依頼した通信端末の相互間で、互いの端末の情報を付加した番組画像を受信表示することのできるサービスを提供できる。
【０２０８】
よって、本発明によれば、複数のユーザが実際に同じ場所に集まる必要はなく、所望の番組について容易にユーザ同士が連帯感を持って視聴することが可能になる。
【図面の簡単な説明】
【図１】本発明の第１実施形態に係る通信端末１０Ａ，１０Ｂ，１０Ｃ，…を用いたＴＶ視聴システムの全体構成ならびに通信端末１０Ａの電子回路の構成を示すブロック図。
【図２】前記通信端末１０Ａのキャラ１「ウサギ」ポーズ画像メモリ１２ｅ：キャラ２「クマ」ポーズ画像メモリ１２ｆ：キャラ３「ネコ」ポーズ画像メモリ１２ｇにそれぞれ記憶された各種のポーズ（行動形態）に対応する各キャラクタ画像を示す図。
【図３】前記通信端末１０Ａのモデルポーズ画像メモリ１２ｄに記憶されたモデルポーズに対応するモデル画像を示す図。
【図４】前記第１実施形態のＴＶ視聴システムにより番組別の視聴仲間を設定するための動作を示すフローチャートであり、同図（Ａ）は同一番組の視聴を依頼する側の通信端末１０Ａにおける番組別友達依頼メール処理を示すフローチャート、同図（Ｂ）は同一番組の視聴を依頼される側の通信端末１０Ｂ，１０Ｃ，…における番組別友達依頼メール応答処理を示すフローチャート。
【図５】前記第１実施形態のＴＶ視聴システムによる視聴表示処理を示すフローチャート。
【図６】前記第１実施形態のＴＶ視聴システムによる番組視聴に伴い仲間の友達を同番組視聴に誘うための動作を示すフローチャートであり、同図（Ａ）は同番組視聴を誘う側の通信端末１０Ａ，１０Ｂ，…における番組視聴に誘う処理を示すフローチャート、同図（Ｂ）は同番組視聴に誘われる側の通信端末１０Ａ，１０Ｂ，…における番組視聴の誘いの応答処理を示すフローチャート。
【図７】前記第１実施形態のＴＶ視聴システムによる仲間の友達との視聴表示処理に伴う表示動作（その１）を示す図であり、同図（Ａｎ）は例えば通信端末１０Ａでの視聴表示動作を示す図、同図（Ｂｎ）は例えば通信端末１０Ｂでの視聴表示動作を示す図。
【図８】前記第１実施形態のＴＶ視聴システムによる番組視聴に伴う表示切り替え処理を示すフローチャート。
【図９】前記第１実施形態のＴＶ視聴システムによる番組視聴に伴うＣＭ中処理を示すフローチャート。
【図１０】前記第１実施形態のＴＶ視聴システムによる番組視聴に伴い仲間の友達をＣＭ品の購入に誘うための動作を示すフローチャートであり、同図（Ａ）はＣＭ品の購入を誘う側の通信端末１０Ａ，１０Ｂ，…におけるＣＭ品購入に誘う処理を示すフローチャート、同図（Ｂ）はＣＭ品の購入に誘われる側の通信端末１０Ａ，１０Ｂ，…におけるＣＭ品購入の誘いの応答処理を示すフローチャート。
【図１１】前記第１実施形態のＴＶ視聴システムによる仲間の友達との視聴表示処理に伴う表示動作（その２）を示す図であり、同図（Ａｎ）は例えば通信端末１０Ａでの視聴表示動作を示す図、同図（Ｂｎ）は例えば通信端末１０Ｂでの視聴表示動作を示す図。
【図１２】前記第１実施形態のＴＶ視聴システムによる仲間の友達との視聴表示処理に伴う表示動作（その３）を示す図であり、同図（Ａｎ）は例えば通信端末１０Ａ（ケイコ端末）での視聴表示動作を示す図、同図（Ｂｎ）は例えば通信端末１０Ｂ（ミユキ端末）での視聴表示動作を示す図。
【図１３】本発明の第２実施形態に係るＴＶ視聴システムの画像配信サーバ３０の構成を示すブロック図。
【図１４】前記第２実施形態のＴＶ視聴システムにより番組別の視聴仲間を設定するための動作を示すフローチャートであり、同図（Ａ）は番組視聴仲間の設定依頼が通信端末１０Ａ，１０Ｂ，…から行われた場合の画像配信サーバ３０における番組別友達依頼ＨＰ処理を示すフローチャート、同図（Ｂ）は番組視聴を依頼された側の通信端末１０Ａ，１０Ｂ，…における番組別友達依頼メール応答処理を示すフローチャート。
【図１５】前記第２実施形態のＴＶ視聴システムの通信端末１０Ａ，１０Ｂ，…における端末視聴表示処理を示すフローチャート。
【図１６】前記第２実施形態のＴＶ視聴システムの画像配信サーバ３０におけるサーバ視聴表示処理を示すフローチャート。
【符号の説明】
１０Ａ，１０Ｂ，…通信端末（ＰＣ）
１１　…端末ＣＰＵ
１２　…端末メモリ
１２ａ…端末処理プログラム
１２ｂ…メール処理プログラム
１２ｃ…視聴処理プログラム
１２ｄ、３２ｂ…モデルポーズ画像メモリ
１２ｅ、３２ｃ…キャラ１「ウサギ」ポーズ画像メモリ
１２ｆ、３２ｄ…キャラ２「クマ」ポーズ画像メモリ
１２ｇ、３２ｅ…キャラ３「ネコ」ポーズ画像メモリ
１２ｈ…ＴＶ視聴用ホームページメモリ
１２ｉ…表示モードメモリ
１２ｊ…アドレス帳データメモリ
１２ｋ…メールデータメモリ
１２ｍ…表示画面データメモリ
１２ｎ…撮影画像データメモリ
１２ｐ…ユーザ行動番号メモリ
１３、３３…外部記録媒体
１４、３４…記録媒体読取部
１５、３５…電送制御部
１６、３６…入力部
１７、３７…放送受信部
１７ａ、３７ａ…テレビアンテナ
１８　…画像撮影部（デジタルカメラ）
１９　…近距離通信部（Ｂｌｕｅｔｏｏｔｈ）
２０　…音声入力部
２１　…音声出力部
２２、３８　…表示部
２３　…室内電子機器（Ｂｌｅｕｔｏｏｔｈ搭載機器）
３０　…画像配信サーバ
３１　…サーバＣＰＵ
３２　…サーバメモリ
３２ａ…サーバ視聴処理プログラム
３２ｆ…通信端末別個別ホームページメモリ
ＴＶ　…番組表示画面
Ｌ　…友達リスト
Ｍａ　　…メッセージメール
Ｍａ１　…誘いメッセージメール
Ｍｂ１　…誘い応答画面
Ｍａ２　…ＣＭ品購入誘いメッセージメール
Ｍｂ２　…ＣＭ品購入誘い応答画面
ａ　…端末ユーザキャラクタ画像「クマ」
ｂ　…端末ユーザキャラクタ画像「ネコ」
ｃ　…端末ユーザキャラクタ画像「ウサギ」
ＴＶｃｍ…ＣＭ番組表示画面
Ｘ　…端末ユーザ（ミユキ）
【図１】
2004088327.tif 000003
【図２】
2004088327.tif 000004
【図３】
2004088327.tif 000005
【図４】
2004088327.tif 000006
【図５】
2004088327.tif 000007
【図６】
2004088327.tif 000008
【図７】
2004088327.tif 000009
【図８】
2004088327.tif 000010
【図９】
2004088327.tif 000011
【図１０】
2004088327.tif 000012
【図１１】
2004088327.tif 000013
【図１２】
2004088327.tif 000014
【図１３】
2004088327.tif 000015
【図１４】
2004088327.tif 000016
【図１５】
2004088327.tif 000017
【図１６】
2004088327.tif 000018